(57)【特許請求の範囲】
【請求項１】
表面シート、裏面シート、及びこれら両シート間に介在された吸収体を具備する吸収性本体を備え、着用者の前後方向に対応する物品縦方向及び該物品縦方向に直交する物品横方向を有する吸収性物品であって、
前記吸収体は、横方向と、横方向よりも長さの長い縦方向と、厚み方向とを有する長尺状基体部、及び該長尺状基体部の一方の面の表面に固定された吸水性ポリマーの粒子を備えた吸収性ユニットを複数本具備し、各該吸収性ユニットを、その縦方向が少なくとも一方向を向くように配列させてなるシート状物から形成された吸収性コアを有しており、
前記吸収性コアは、物品横方向中央の中央領域と、該中央領域よりも物品横方向外方に設けられた一対のサイド領域とを具備し、
各前記サイド領域において、各前記吸収性ユニットは、その縦方向が物品横方向を向くように配列されており、
前記表面シートは、前記吸収体の肌対向面を被覆し、該吸収体の両側縁部から物品横方向外方に延出した延出部位を有しており、該延出部位が、該吸収体の非肌対向面側に折り返されて、前記吸収性コアの各前記サイド領域に位置する前記吸収体の非肌対向面を被覆しており、
前記表面シートにおける折り返された前記延出部位は、その先端部が、該延出部位と隣接する前記吸収性物品の構成部材に固定されている、吸収性物品。
【請求項２】
前記吸収体の両側縁部それぞれに、該側縁部に沿って弾性部材を配し、該弾性部材の収縮力によって、前記吸収性コアの各前記サイド領域に位置する前記吸収体が着用者の肌側に向かって起立する、請求項１に記載の吸収性物品。
【請求項３】
前記吸収性コアの各前記サイド領域に配された前記吸収性ユニットの前記長尺状基体部の縦方向に沿う両側縁部間の距離と、前記吸収性コアの前記中央領域に配された前記吸収性ユニットの前記長尺状基体部の縦方向に沿う両側縁部間の距離とが異なっている、請求項１又は２に記載の吸収性物品。
【請求項４】
前記吸収性コアの前記中央領域において、各前記吸収性ユニットは、その縦方向が物品縦方向を向くように配列されている、請求項１〜３の何れか１項に記載の吸収性物品。
【請求項５】
前記吸収性コアの前記中央領域に配された前記吸収性ユニットの前記吸水性ポリマーの坪量の方が、前記吸収性コアの各前記サイド領域に配された前記吸収性ユニットの前記吸水性ポリマーの坪量よりも大きい、請求項１〜４の何れか１項に記載の吸収性物品。
【請求項６】
前記表面シートの前記延出部位の先端部と前記吸収性物品の構成部材とが接合された位置が、前記吸収性コアの前記中央領域と各前記サイド領域との境界に対応する位置と一致している、請求項１〜５の何れか１項に記載の吸収性物品。
【請求項７】
前記吸収性コアは、膨潤後の状態において、該吸水性ポリマーの粒子が、前記長尺状基体部の前記縦方向に沿う側縁部を越えて膨潤し、且つ該長尺状基体部における前記吸水性ポリマーの粒子の位置が、前記厚み方向において、液を吸収する前の位置と異なるようになされている、請求項１〜６の何れか１項に記載の吸収性物品。
【請求項８】
前記吸収性コアの前記中央領域に、前記吸収性ユニットが配列されており、
前記吸収性コアは、前記中央領域における前記吸収性ユニットが配列された部分では、前記吸収性物品に固定されていない請求項１〜７の何れか１項に記載の吸収性物品。
【請求項９】
前記吸収性コアは、前記縦方向の両端部が、前記吸収性物品に固定されている請求項１〜８の何れか１項に記載の吸収性物品。
【請求項１０】
前記吸収性コアは、前記縦方向に沿う両側部が、前記吸収性物品に固定されている請求項１〜９の何れか１項に記載の吸収性物品。
【請求項１１】
前記吸収性コアは、前記縦方向の両端部又は前記縦方向に沿う両側部には、前記吸水性ポリマーの粒子が固定されていない、請求項１〜１０の何れか１項に記載の吸収性物品。
【請求項１２】
前記吸収性コアは、前記長尺状基体部が親水性である、請求項１〜１１の何れか１項に記載の吸収性物品。
【請求項１３】
前記吸収性コアは、前記長尺状基体部の一方の面の表面に固定された前記吸水性ポリマーの種類と、該長尺状基体部の他方の面の表面に固定された該吸水性ポリマーの種類とが異なる、請求項１〜１２の何れか１項に記載の吸収性物品。
【発明の詳細な説明】
【技術分野】
【０００１】
本発明は、使い捨ておむつ等の吸収性物品に関する。
【背景技術】
【０００２】
本出願人は、先に、中央吸収体と一対のサイド吸収体とが股下部で分離している吸収性コアを有する吸収性本体を具備し、吸収性コアの両側にサイド吸収体立ち上げ用の弾性部材が長手方向に沿って配されている使い捨ておむつを提案した（特許文献１）。
【０００３】
上記使い捨ておむつとは別に、特許文献２及び特許文献３には、吸収性物品用の吸収体として、所定長さのスリットが複数本形成されている吸収体が開示されている。
【先行技術文献】
【特許文献】
【０００４】
【特許文献１】特開２００６−３４１０６１号公報
【特許文献２】実開平１−８７７２０号公報
【特許文献３】実開昭６３−１８１２２号公報
【発明の概要】
【発明が解決しようとする課題】
【０００５】
特許文献１に記載の使い捨ておむつによれば、吸収性コアが、中央吸収体と一対のサイド吸収体とに分離しており、その両側にサイド吸収体立ち上げ用の弾性部材が配されているので、サイド吸収体が立ち上がり易く、股下部のフィット性及び防漏性能が向上する。しかし、着用中に、立ち上がったサイド吸収体が着用者の肌に当たり、違和感を与えることも考えられる。本発明者は、このように立ち上がったサイド吸収体が与える違和感も更に解消したいとの思いに到った。
【０００６】
また、特許文献２及び３には、スリットが施された吸収体が開示されているだけで、吸収体の両側のサイド部分の吸収体を立ち上げることに関して、何ら記載されていない。
【０００７】
したがって本発明は、前述した従来技術が有する欠点を解消し得る吸収性物品を提供することにある。
【課題を解決するための手段】
【０００８】
本発明は、表面シート、裏面シート、及びこれら両シート間に介在された吸収体を具備する吸収性本体を備え、着用者の前後方向に対応する物品縦方向及び該物品縦方向に直交する物品横方向を有する吸収性物品であって、前記吸収体は、横方向と、横方向よりも長さの長い縦方向と、厚み方向とを有する長尺状基体部、及び該長尺状基体部の一方の面の表面に固定された吸水性ポリマーの粒子を備えた吸収性ユニットを複数本具備し、各該吸収性ユニットを、その縦方向が少なくとも一方向を向くように配列させてなるシート状物から形成された吸収性コアを有しており、前記吸収性コアは、物品横方向中央の中央領域と、該中央領域よりも物品横方向外方に設けられた一対のサイド領域とを具備し、各前記サイド領域において、各前記吸収性ユニットは、その縦方向が物品横方向を向くように配列されており、前記表面シートは、前記吸収体の肌対向面を被覆し、該吸収体の両側縁部から物品横方向外方に延出した延出部位を有しており、該延出部位が、該吸収体の非肌対向面側に折り返されて、前記吸収性コアの各前記サイド領域に位置する前記吸収体の非肌対向面を被覆しており、前記表面シートの前記延出部位は、その先端部が、該延出部位よりも非肌対向面側に位置し且つ該延出部位と隣接する前記吸収性物品の構成部材に固定されている、吸収性物品を提供するものである。
【発明の効果】
【０００９】
本発明によれば、サイド部分の吸収体が立ち上がり易く、股下部のフィット性及び防漏性能が向上すると共に、立ち上がったサイド部分の吸収体が違和感を与え難い吸収性物品が提供される。
【図面の簡単な説明】
【００１０】
【図１】図１は、本発明の吸収性物品の一実施形態であるパンツ型使い捨ておむつの斜視図である。
【図２】図２は、図１に示すおむつをサイドシール部で切り離して展開し、伸長させ平面状に拡げた状態を、一部破断して示す平面図である。
【図３】図３は、図１に示すおむつの備える吸収体を、一部破断して示す斜視図である。
【図４】図４は、図３に示す吸収体の有する吸収性コアであるシート状物の一実施形態を模式的に示す断面図であり、吸水性ポリマーの粒子が液を吸収する前の状態を示している。
【図５】図５は、図４に示すシート状物における、吸水性ポリマーの粒子が液を吸収して膨潤した状態を模式的に示す断面図である。
【図６】図６は、図２に示すＶＩ-ＶＩ線断面図である。
【図７】図７は、図６に示すおむつにおける、着用状態での断面図である。
【図８】図８は、図１に示すおむつの備える吸収性コアであるシート状物の製造装置の一実施形態を示す概略図である。
【図９】図９は、図８に示す製造装置の備える上流側の基材シートカット部の概略斜視図である。
【図１０】図１０は、図８に示す製造装置の備える下流側の基材シートカット部の概略斜視図である。
【発明を実施するための形態】
【００１１】
以下本発明を、その好ましい実施形態に基づき図面を参照しながら説明する。図１には、本発明の吸収性物品の一実施形態である使い捨ておむつ１０（以下、単に「おむつ１０」ともいう。）の自然状態の斜視図が示されている。図２は、図１に示すおむつ１０を、そのサイドシール部Ｓで開き、平面に展開して伸長させた状態を表面シート側からみた平面図である。図１及び図２に示すおむつ１０は、いわゆるパンツ型の使い捨ておむつである。おむつ１０は、表面シート２１、裏面シート２２、及びこれら両シート２１，２２間に介在された吸収体２３を具備する吸収性本体２０を備え、着用者の前後方向に対応する物品縦方向Ｙ及び物品縦方向Ｙに直交する物品横方向Ｘを有している。好適には、おむつ１０は、吸収性本体２０と、該吸収性本体２０の非肌対向面側に位置する外装体３０とを具備する。このおむつ１０は、着用時に着用者の腹側に配される腹側部Ａと、着用者の背側に配される背側部Ｂと、その間に位置する股下部Ｃとに区分されている。股下部Ｃは、後述する外装体３０の側縁が、物品横方向Ｘの内方に向けて括れた領域であり、おむつ１０の着用状態において着用者の股間部に配される。背側部Ａは、おむつ１０の着用状態において股下部Ｃよりも、着用者の腹側に位置する領域である。背側部Ｂは、おむつ１０の着用状態において股下部Ｃよりも、着用者の背側に位置する領域である。尚、おむつ１０は、その厚み方向に、物品厚み方向Ｚを有している。
【００１２】
尚、本明細書において、「肌対向面側」とは、おむつ１０の各部材の表裏両側（面）のうち、おむつ１０の着用状態において着用者の肌側に配される側（面）のことである。「非肌対向面側」とは、おむつ１０の各部材の表裏両側（面）のうち、おむつ１０の着用状態において着用者の肌側と反対側に配される側（面）である。また、以下の説明において、「物品縦方向Ｙ」とは、平面に展開した状態のおむつ１０において、腹側部Ａから背側部Ｂにわたる方向のことである。また、「物品横方向Ｘ」とは、平面に展開した状態のおむつ１０の物品縦方向Ｙと直交する方向であり、平面に展開した状態のおむつ１０の幅方向のことである。
【００１３】
おむつ１０では、吸収性本体２０は、図２に示すように、縦長矩形形状をなし、その物品縦方向Ｙを、おむつ１０の物品縦方向Ｙに一致させて、腹側部Ａから背側部Ｂにわたるように、ホットメルト型接着剤等の公知の接合手段により外装体３０の物品横方向Ｘの中央部に接合されている。外装体３０は、腹側部Ａに位置する部分の両側縁部と背側部Ｂに位置する部分の両側縁部とが、ヒートシール、超音波シール等の公知の接合手段により互いに接合されている。これによりおむつ１０には一対のサイドシール部Ｓが形成されている。また、その接合によって、おむつ１０に、図１に示すように、ウエスト開口部ＷＯ及び一対のレッグ開口部ＬＯ，ＬＯが形成されて、外装体３０はパンツ型の立体形状となる。
【００１４】
おむつ１０では、図２に示すように、外装体３０は、内層シート３１及び外層シート３２と、これら２枚のシート間に固定された各部の糸状の弾性部材３３とからなる。内層シート３１及び外層シート３２は、物品横方向Ｘにおいては同形である。物品縦方向Ｙにおいては、内層シート３１の前後の端部から外層シート３２が延出しており、延出部位３２Ｅが、吸収性本体２０の物品縦方向Ｙ前後端域を被覆している。外装体３０の外縁は、展開状態のおむつ１０の輪郭をなしている。
【００１５】
おむつ１０では、糸状の弾性部材３３は、図１及び図２に示すように、内層シート３１及び外層シート３２との間に配されており、ウエスト開口部ＷＯの周縁部にウエストギャザーを形成するウエスト部弾性部材３３Ｗ、レッグ開口部ＬＯの周縁部にレッグギャザーを形成するレッグ部弾性部材３３Ｌ、及び胴回り部（ウエスト開口部ＷＯの周縁端から下方に２０ｍｍ離間した位置からレッグ開口部ＬＯの上端までの領域）に胴回りギャザーを形成する胴回り弾性部材３３Ｄを有している。ウエスト部弾性部材３３Ｗ、レッグ部弾性部材３３Ｌ及び胴回り弾性部材３３Ｄは、それぞれ伸張状態で、ホットメルト型接着剤等の接合手段により接合固定されている。
【００１６】
おむつ１０では、吸収性本体２０は、図２に示すように、吸収体２３を具備している。吸収体２３は、図３に示すように、吸収性コア２４と、該吸収性コア２４を被覆する液透過性のコアラップシート２５とを有している。吸収性コア２４は、図３に示すように、平面視して、物品縦方向Ｙに長い矩形状を有している。吸収体２３は、吸収性コア２４の全体を、コアラップシート２５で被覆して形成されている。尚、吸収性物品には、吸収体２３の肌対向面及び非肌対向面の少なくとも一方に所謂サブレイヤーシートが配されていてもよい。
【００１７】
おむつ１０では、吸収性コア２４は、図３に示すように、横方向（ｘ１方向）と、該横方向（ｘ１方向）よりも長さの長い縦方向（ｙ１方向）と、厚み方向（ｚ１方向）とを有する長尺状基体部２、及び長尺状基体部２の一方の面の表面に固定された吸水性ポリマーの粒子３（以下、単に「吸水性ポリマー３」ともいう。）を備えた吸収性ユニット４を複数本具備し、各吸収性ユニット４を、その縦方向（ｙ１方向）が少なくとも一方向を向くように配列させてなるシート状物１から形成されている。ここで、長尺状基体部２の横方向（ｘ１方向）、縦方向（ｙ１方向）及び、厚み方向（ｚ１方向）は、吸収性ユニット４の横方向（ｘ１方向）、縦方向（ｙ１方向）及び、厚み方向（ｚ１方向）と一致している。尚、吸収性コア２４であるシート状物１は、図３に示すように、平面視して、物品縦方向Ｙに長く、物品横方向Ｘに短い縦長矩形形状をなし、その物品縦方向Ｙを、吸収性本体２０の物品縦方向Ｙ又はおむつ１０の物品縦方向Ｙに一致させて、腹側部Ａから背側部Ｂにわたるように配されている。尚、長尺状基体部２の厚み方向（ｚ１方向）及び吸収性ユニット４の厚み方向（ｚ１方向）は、物品厚み方向Ｚに一致している。
【００１８】
おむつ１０では、シート状物１から形成された吸収性コア２４は、図３に示すように、平面視して、物品横方向Ｘにおける中央の中央領域ＣＴと、中央領域ＣＴよりも物品横方向Ｘ外方に設けられた一対のサイド領域ＳＴ，ＳＴとを具備している。中央領域ＣＴは、吸収性コア２４の物品横方向Ｘ中央に位置しており、吸収性コア２４の物品縦方向Ｙの両端部間に亘っている。また、一対のサイド領域ＳＴ，ＳＴは、中央領域ＣＴよりも物品横方向Ｘ外方に位置しており、吸収性コア２４の物品縦方向Ｙの両端部間に亘っている。
【００１９】
図４及び図５には、吸収性コア２４であるシート状物１を模式的に示す断面図が示されている。図４に示すシート状物１は、吸水性ポリマーの粒子が液を吸収する前の状態（以下、単に「使用前の状態」ともいう。）を示す。また、図５に示すシート状物１は、吸水性ポリマーの粒子が液を吸収して膨潤した状態（以下、単に「膨潤後の状態」ともいう。）を示す。ここで、膨潤後の状態とは、２５℃に調温した生理食塩水（０．９質量％塩化ナトリウム水溶液）中に６０分間シート状物１を浸漬した後の吸水性ポリマー粒子の状態を意味する。
【００２０】
シート状物１の各サイド領域ＳＴにおいて、図２及び図３に示すように、各吸収性ユニット４は、その縦方向（ｙ１方向）が物品横方向Ｘを向くように配列されている。おむつ１０では、各サイド領域ＳＴは、吸収性ユニット４の縦方向（ｙ１方向）がシート状物１の物品横方向Ｘを向くように吸収性ユニット４を複数本配列させて形成されている。好適には、複数本の吸収性ユニット４が互いに交差しないように、各吸収性ユニット４が物品横方向Ｘに平行に配されていることが好ましい。図３に示すシート状物１の各サイド領域ＳＴは、均一な幅の長尺状基体部２を有する吸収性ユニット４を複数本用い、吸収性ユニット４の縦方向（ｙ１方向）をシート状物１の物品横方向Ｘに向くようにシート状物１の物品横方向Ｘに平行に配し、且つ物品縦方向Ｙに並置して形成されている。
【００２１】
各サイド領域ＳＴでは、図３に示すように、長尺状基体部２（吸収性ユニット４）の横方向（ｘ１方向）において隣り合う吸収性ユニット４，４間においては、吸収性ユニット４の移動のし易さの観点から、介在物が非存在状態となっている。即ち、各サイド領域ＳＴの吸収性ユニット４は介在物で包まれていない状態となっている。図４及び図５においては、長尺状基体部２の一方の面である上面が着用者の肌に対向する肌対向面であり、長尺状基体部２の他方の面である下面が裏面シートに対向する非肌対向面である。
【００２２】
また、おむつ１０では、吸収性コア２４であるシート状物１の中央領域ＣＴにおいて、図２及び図３に示すように、各吸収性ユニット４は、その縦方向（ｙ１方向）が物品縦方向Ｙを向くように配列されている。好適には、おむつ１０では、中央領域ＣＴは、吸収性ユニット４の縦方向（ｙ１方向）がシート状物１の物品縦方向Ｙを向くように吸収性ユニット４を複数本配列させて形成されている。更に好適には、複数本の吸収性ユニット４が互いに交差しないように、各吸収性ユニット４が物品縦方向Ｙに平行に配されていることが好ましい。図３に示すシート状物１の中央領域ＣＴは、均一な幅の長尺状基体部２を有する吸収性ユニット４を複数本用い、吸収性ユニット４の縦方向（ｙ１方向）をシート状物１の物品縦方向Ｙに向くようにシート状物１の物品縦方向Ｙに平行に配し、且つ物品横方向Ｘに並置して形成されている。中央領域ＣＴでは、長尺状基体部２（吸収性ユニット４）の横方向（ｘ１方向）において隣り合う吸収性ユニット４，４間においては、吸収性ユニット４の移動のし易さの観点から、介在物が非存在状態となっている。即ち、中央領域ＣＴの吸収性ユニット４は介在物で包まれていない状態となっている。
【００２３】
吸収性コア２４であるシート状物１は、使用前の状態において、図３に示すように、一方向を向くように吸収性ユニット４を複数本配列した吸収領域ＡＴを有している。吸収領域ＡＴとは、おむつ１０では、各サイド領域ＳＴにおいて、図２及び図３に示すように、縦方向（ｙ１方向）が物品横方向Ｘを向くように各吸収性ユニット４が配列されている領域と、中央領域ＣＴにおいて、縦方向（ｙ１方向）が物品縦方向Ｙを向くように各吸収性ユニット４が配列されている領域とを合算した領域を意味する。使用前の状態のシート状物１を平面視して、シート状物１全体に対する吸収領域ＡＴの割合は、吸水性ポリマーの粒子３の固定された領域で液を吸収し易い観点から、２０％以上であることが好ましく、５０％以上であることが更に好ましく、そして、１００％以下であることが好ましく、９０％以下であることが更に好ましく、具体的には、２０％以上１００％以下であることが好ましく、５０％以上９０％以下であることが更に好ましい。ここで、吸収領域ＡＴの割合が１００％であるとは、例えば、縦方向（ｙ１方向）が物品横方向Ｘを向くように各吸収性ユニット４が配列されている各サイド領域ＳＴにおいては、各サイド領域ＳＴの物品縦方向Ｙに沿う両側部間に亘って各吸収性ユニット４が配されており、縦方向（ｙ１方向）が物品縦方向Ｙを向くように各吸収性ユニット４が配列されている中央領域ＣＴにおいては、中央領域ＣＴの物品縦方向Ｙの両端部間に亘って各吸収性ユニット４が配されている形態を意味する。尚、シート状物１を平面視して、吸収領域ＡＴ以外の領域が、後述する非スリット領域ＮＴとなる。
【００２４】
各サイド領域ＳＴにおいて、吸収性ユニット４の縦方向（ｙ１方向）を物品横方向Ｘに向くように配する場合、吸収性ユニット４は、各サイド領域ＳＴに、１０本以上配されていることが好ましく、５０本以上配されていることが更に好ましく、そして、３５００本以下配されていることが好ましく、１７００本以下配されていることが更に好ましく、具体的には、１０本以上３５００本以下配されていることが好ましく、５０本以上１７００本以下配されていることが更に好ましい。
【００２５】
中央領域ＣＴにおいて、吸収性ユニット４の縦方向（ｙ１方向）を物品縦方向Ｙに向くように配する場合、吸収性ユニット４は、中央領域ＣＴに、２本以上配されていることが好ましく、１０本以上配されていることが更に好ましく、そして、１０００本以下配されていることが好ましく、５００本以下配されていることが更に好ましく、具体的には、２本以上１０００本以下配されていることが好ましく、１０本以上５００本以下配されていることが更に好ましい。
尚、中央領域ＣＴにおいて、仮に、吸収性ユニット４の縦方向（ｙ１方向）を物品横方向Ｘに向くように配する場合、吸収性ユニット４は、中央領域ＣＴに、１０本以上配されていることが好ましく、５０本以上配されていることが更に好ましく、そして、３５００本以下配されていることが好ましく、１７００本以下配されていることが更に好ましく、具体的には、１０本以上３５００本以下配されていることが好ましく、５０本以上１７００本以下配されていることが更に好ましい。
【００２６】
吸収性コア２４であるシート状物１は、物品縦方向Ｙの両端部に複数の長尺状基体部２が物品横方向Ｘに繋がった非スリット領域ＮＴ、又は物品縦方向Ｙに沿う両側部に物品縦方向Ｙに繋がった非スリット領域ＮＴを備えていることが好ましく、本実施形態のおむつ１０においては、図３に示すように、物品縦方向Ｙの両端部に非スリット領域ＮＴ１，ＮＴ１を備え、且つ物品縦方向Ｙに沿う両側部に非スリット領域ＮＴ２，ＮＴ２を備えている。すなわち、本実施形態のシート状物１においては、１枚の基材シートを具備しており、該基材シートの物品縦方向Ｙの両端部及び物品横方向Ｘの両端部に非スリット領域ＮＴが設けられ、該非スリット領域ＮＴの間に後述するカット工程によって形成された複数の長尺状基体部２が設けられている。このような非スリット領域ＮＴを設けると、使用前の状態において、シート状物１のシート形状が維持され易く、構造が乱れ難くなると共に、製造時に搬送し易いとの効果を奏する。非スリット領域ＮＴ（ＮＴ１，ＮＴ２）には、吸水性ポリマーの粒子３が配されていないことが好ましい。このように非スリット領域ＮＴ（ＮＴ１，ＮＴ２）に吸水性ポリマーの粒子３を配していなければ、液を吸収したとしても、非スリット領域ＮＴ（ＮＴ１，ＮＴ２）にて吸水性ポリマーの粒子３が膨潤し難く、膨潤後の状態においても、シート状物１のシート形状が維持され易く、構造が乱れ難くなると共に、吸水性ポリマー３の粒子の固定された領域では液を吸収し易く、シート状物１全体でバランスを取り易いとの効果を奏する。
【００２７】
また、図３に示すシート状物１のように物品縦方向Ｙの両端部に非スリット領域ＮＴ１，ＮＴ１を備えている場合には、シート状物１のシート形状が維持され易く、構造が乱れ難くなると共に、吸収領域ＡＴの柔らかさが向上し着用者へ違和感を与え難い観点から、該物品縦方向Ｙの両端部が吸収性物品に固定されていることが好ましい。ここで言う物品縦方向Ｙの両端部（非スリット領域ＮＴ１，ＮＴ１）が固定される吸収性物品とは、おむつ１０では、表面シート２１、裏面シート２２及びコアラップシート２５の少なくとも１つの吸収性物品の構成部材を意味する。このように物品縦方向Ｙの両端部が吸収性物品に固定されている場合、非スリット領域ＮＴ１には、吸水性ポリマーの粒子３が固定されていないことが更に好ましい。そして、中央領域ＣＴにおける吸収性ユニット４が配列された部分は、吸収領域ＡＴの柔らかさが向上し着用者へ違和感を与え難い観点から、吸収性物品に固定されていないことが特に好ましい。
【００２８】
また、図３に示すシート状物１のように物品縦方向Ｙに沿う両側部に非スリット領域ＮＴ２,ＮＴ２を備えている場合には、シート状物１のシート形状が維持され易く、構造が乱れ難くなると共に、吸収領域ＡＴの柔らかさが向上し着用者へ違和感を与え難い観点から、該物品縦方向Ｙに沿う両側部が吸収性物品に固定されていることが好ましい。ここで言う物品縦方向Ｙに沿う両側部（非スリット領域ＮＴ２,ＮＴ２）が固定される吸収性物品とは、おむつ１０では、表面シート２１、裏面シート２２及びコアラップシート２５の少なくとも１つの吸収性物品の構成部材を意味する。このように物品縦方向Ｙに沿う両側部が吸収性物品に固定されている場合、非スリット領域ＮＴ１には、吸水性ポリマーの粒子３が固定されていないことが更に好ましい。そして、各サイド領域ＳＴにおける吸収性ユニット４が配列された部分は、吸収領域ＡＴの柔らかさが向上し着用者へ違和感を与え難い観点から、吸収性物品に固定されていないことが特に好ましい。
【００２９】
おむつ１０では、吸収性コア２４であるシート状物１の各サイド領域ＳＴに配された吸収性ユニット４の長尺状基体部２の縦方向（ｙ１方向）に沿う両側縁部間の距離と、吸収性コア２４であるシート状物１の中央領域ＣＴに配された吸収性ユニット４の長尺状基体部２の縦方向（ｙ１方向）に沿う両側縁部間の距離とは異なっている。ここで、長尺状基体部２の縦方向（ｙ１方向）に沿う両側縁部間の距離とは、長尺状基体部２の幅（横方向（ｘ１方向）の長さ）と同じ意味である。中央領域ＣＴの幅が各サイド領域ＳＴの幅よりも大きい場合には、股下部分の違和感軽減の観点から、各サイド領域ＳＴに配された１本の長尺状基体部２幅（Ｗ２Ｓ）（横方向（ｘ１方向）の長さ）（図３参照）が、中央領域ＣＴに配された１本の長尺状基体部２の幅（Ｗ２Ｃ）（横方向（ｘ１方向）の長さ）（図３参照）よりも短いことが好ましい。また、中央領域ＣＴの幅が各サイド領域ＳＴの幅よりも小さい場合には、サイド領域ＳＴが起立した際の脚まわりへのフィット性の観点から、中央領域ＣＴに配された１本の長尺状基体部２の幅（Ｗ２Ｃ）（横方向（ｘ１方向）の長さ）（図３参照）が、各サイド領域ＳＴに配された１本の長尺状基体部２幅（Ｗ２Ｓ）（横方向（ｘ１方向）の長さ）（図３参照）よりも短いことが好ましい。
【００３０】
シート状物１の中央領域ＣＴにおいて、シート状物１の幅（Ｗ１）（図３参照）に対する１本の長尺状基体部２の幅（Ｗ２Ｃ）（横方向（ｘ１方向）の長さ）（図３参照）の割合は、股下部分の屈曲性向上（柔軟性向上）による違和感軽減の観点から、０．１％以上であることが好ましく、０．２％以上であることが更に好ましく、そして、２０％以下であることが好ましく、４％以下であることが更に好ましく、具体的には、０．１％以上２０％以下であることが好ましく、０．２％以上４％以下であることが更に好ましい。
好適には、中央領域ＣＴにおける長尺状基体部２の幅（Ｗ２Ｃ）は、同様の観点から、０．３ｍｍ以上であることが好ましく、０．６ｍｍ以上であることが更に好ましく、そして、１０ｍｍ以下であることが好ましく、２ｍｍ以下であることが更に好ましく、具体的には、０．３ｍｍ以上１０ｍｍ以下であることが好ましく、０．６ｍｍ以上２ｍｍ以下であることが更に好ましい。尚、シート状物１は、その幅（Ｗ１）が５０ｍｍ以上３００ｍｍ以下のものである。
【００３１】
シート状物１の中央領域ＣＴにおいて、シート状物１の長さ（Ｌ１）（図３参照）に対する１本の長尺状基体部２の長さ（Ｌ２Ｃ）（縦方向（ｙ１方向）の長さ）（図３参照）の割合は、同様の観点から、２％以上であることが好ましく、２０％以上であることが更に好ましく、そして、１００％以下であることが好ましく、９８％以下であることが更に好ましく、具体的には、２％以上１００％以下であることが好ましく、２０％以上９８％以下であることが更に好ましい。
好適には、中央領域ＣＴにおける長尺状基体部２の長さ（Ｌ２Ｃ）は、同様の観点から、２０ｍｍ以上であることが好ましく、２００ｍｍ以上であることが更に好ましく、そして、１０００ｍｍ以下であることが好ましく、９８０ｍｍ以下であることが更に好ましく、具体的には、２０ｍｍ以上１０００ｍｍ以下であることが好ましく、２００ｍｍ以上９８０ｍｍ以下であることが更に好ましい。尚、シート状物１は、その長さ（Ｌ１）が１００ｍｍ以上１０００ｍｍ以下程度のものである。
【００３２】
シート状物１の各サイド領域ＳＴにおいて、シート状物１の幅（Ｗ１）（図３参照）に対する１本の長尺状基体部２の長さ（Ｌ２Ｓ）（縦方向（ｙ１方向）の長さ）（図３参照）の割合は、各サイド領域ＳＴの起立時の形状維持の観点から、１．５％以上であることが好ましく、３％以上であることが更に好ましく、そして、４７％以下であることが好ましく、４０％以下であることが更に好ましく、具体的には、１．５％以上４７％以下であることが好ましく、３％以上４０％以下であることが更に好ましい。
好適には、各サイド領域ＳＴにおける長尺状基体部２の長さ（Ｌ２Ｓ）は、同様の観点から、５ｍｍ以上であることが好ましく、１０ｍｍ以上であることが更に好ましく、そして、１４０ｍｍ以下であることが好ましく、１２０ｍｍ以下であることが更に好ましく、具体的には、５ｍｍ以上１４０ｍｍ以下であることが好ましく、１０ｍｍ以上１２０ｍｍ以下であることが更に好ましい。
【００３３】
シート状物１の各サイド領域ＳＴにおいて、シート状物１の長さ（Ｌ１）（図３参照）に対する１本の長尺状基体部２の幅（Ｗ２Ｓ）（横方向（ｘ１方向）の長さ）（図３参照）の割合は、各サイド領域ＳＴの起立時の脚まわりへのフィット性の観点から、０．０３％以上であることが好ましく、０．０６％以上であることが更に好ましく、そして、１０％以下であることが好ましく、２％以下であることが更に好ましく、具体的には、０．０３％以上１０％以下であることが好ましく、０．０６％以上２％以下であることが更に好ましい。
好適には、各サイド領域ＳＴにおける長尺状基体部２の幅（Ｗ２Ｓ）は、同様の観点から、０．３ｍｍ以上であることが好ましく、０．６ｍｍ以上であることが更に好ましく、そして、１０ｍｍ以下であることが好ましく、２ｍｍ以下であることが更に好ましく、具体的には、０．３ｍｍ以上１０ｍｍ以下であることが好ましく、０．６ｍｍ以上２ｍｍ以下であることが更に好ましい。
【００３４】
吸収性ユニット４を構成する長尺状基体部２は、吸収領域ＡＴで液が拡散し易く、吸水性ポリマー３の利用効率向上の観点から、親水性シートであることが好ましい。親水性シートとしては、紙、不織布、布、合成樹脂を発泡して形成された合成スポンジ等が挙げられ、それらの中でも、薄くても引っ張り強度が比較的高く、薄くて柔軟性が付与できる観点から、不織布が好ましく用いられる。不織布としては、親水性の繊維を構成繊維として含む親水性不織布、合成繊維に親水性を付与した繊維を構成繊維として含む親水性不織布等が好ましく用いられる。該不織布の坪量は、５ｇ／ｍ２以上１００ｇ／ｍ２以下であることが好ましく、１０ｇ／ｍ２以上４０ｇ／ｍ２以下であることが更に好ましい。
【００３５】
長尺状基体部２の一方の面の表面に固定される吸水性ポリマー３としては、当該吸収性物品の技術分野において従来用いられている各種のものを用いることができ、例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられ、これらの１種を単独で又は２種以上を混合して用いることができる。吸水性ポリマーの粒子３としては、その形状の違いから、不定形タイプ、塊状タイプ、俵状タイプ、球粒凝集タイプ、球状タイプ等があるが、何れのタイプも用いることができ、シート状物１においては、球状タイプが用いられている。
【００３６】
吸水性ポリマーの粒子３を長尺状基体部２の表面に固定させる方法としては、接着剤を用いる方法、水素結合等を利用して化学的に固定させる方法、又は、長尺状基体部２が不織布或いは布である場合には、その構成繊維を起毛させ、起毛した構成繊維の間で固定させる方法等が挙げられ、図４及び図５に示すシート状物１においては、接着剤５が用いられている。即ち、シート状物１の吸水性ポリマーの粒子３は、接着剤５を介して長尺状基体部２に固定されている。このように接着剤５を介して吸水性ポリマーの粒子３が長尺状基体部２の表面に固定されていると、シート状物１の使用前の状態又は膨潤後の状態において、吸水性ポリマーの粒子３が脱落し難くなる。
【００３７】
接着剤５としては、例えば、ホットメルト型接着剤が好ましく用いられる。ホットメルト型接着剤としては、スチレン系、オレフィン系等が挙げられる。スチレン系ホットメルト接着剤としては、スチレン−ブタジエン−スチレン共重合体（ＳＢＳ）、スチレン−イソプレン−スチレン共重合体（ＳＩＳ）、ＳＢＳの水素添加物であるスチレン−エチレン−ブチレン−スチレン共重合体（ＳＥＢＳ）、及びこれらの２種以上をブレンドしたブレンド系ホットメルト型接着剤を使用することができる。これらの中でも、タック力と凝集力のバランスが取り易い観点から、特にＳＩＳとＳＢＳとのブレンド系ホットメルト型接着剤、又はＳＩＳとＳＥＢＳのブレンド系ホットメルト型接着剤が、好ましく用いられる。ホットメルト型接着剤の塗布量は、０．５ｇ／ｍ２以上１００ｇ／ｍ２以下であることが好ましく、５ｇ／ｍ２以上５０ｇ／ｍ２以下であることが更に好ましい。
【００３８】
シート状物１は、吸水性ポリマーの粒子３が、各長尺状基体部２の一方の面（上面又は下面）の表面にのみ固定されていればよいが、シート状物１の液の吸収性能向上の観点から、図４に示すシート状物１では、各長尺状基体部２の一方の面（上面）の表面のみならず、他方の面（下面）の表面にも固定されている。ここで、中央領域ＣＴの一方の面（上面）の表面に配されている吸水性ポリマーの粒子３と、各サイド領域ＳＴの一方の面（上面）の表面に配されている吸水性ポリマーの粒子３とは、ポリマーの種類が同じであることが好ましい。同様に、中央領域ＣＴの他方の面（下面）の表面に配されている吸水性ポリマーの粒子３と、各サイド領域ＳＴの他方の面（下面）の表面に配されている吸水性ポリマーの粒子３とは、ポリマーの種類が同じであることが好ましい。以下の説明においては、中央領域ＣＴの一方の面（上面）の表面に配されている吸水性ポリマーの粒子３と他方の面（下面）の表面に配されている吸水性ポリマーの粒子３とを例に挙げて説明する。
【００３９】
各長尺状基体部２の両面（上下面）の表面に吸水性ポリマーの粒子３を固定する際には、上記効果を一層奏する観点から、長尺状基体部２の他方の面（下面）の表面に固定された吸水性ポリマー３の坪量の方が、該長尺状基体部２の一方の面（上面）の表面に固定された吸水性ポリマー３の坪量よりも大きいことが好ましい。長尺状基体部２の一方の面（上面）の表面に固定させる吸水性ポリマー３の坪量は、１０ｇ／ｍ２以上２５０ｇ／ｍ２以下であることが好ましく、３０ｇ／ｍ２以上１５０ｇ／ｍ２以下であることが更に好ましい。長尺状基体部２の他方の面（下面）の表面に固定させる吸水性ポリマー３の坪量は、３０ｇ／ｍ２以上４００ｇ／ｍ２以下であることが好ましく、５０ｇ／ｍ２以上３００ｇ／ｍ２以下であることが更に好ましい。
【００４０】
長尺状基体部２における肌対向面側に固定されている吸水性ポリマー３の坪量及び長尺状基体部２における非肌対向面側に固定されている吸水性ポリマー３の坪量は以下の方法によって測定する。
【００４１】
＜長尺状基体部２における肌対向面側に固定されている吸水性ポリマー３の坪量及び長尺状基体部２における非肌対向面側に固定されている吸水性ポリマー３の坪量の測定方法＞
長尺状基体部２における非肌対向面側に固定されている吸水性ポリマーが脱落しないように吸水性ポリマー上面から再度接着剤等で固定しておき、肌対向面側に固定されている吸水性ポリマーを、溶剤等を用いて長尺状基体部２から剥離させ、吸水性ポリマーに付着している接着剤を洗浄する。吸水性ポリマーを乾燥させたのち、肌対向面側に固定されていた吸水性ポリマー重量を測定し、吸水性ポリマーが固定されていた部分の長尺状基体部２の面積と剥離した吸水性ポリマーの重量から、単位面積当たりに固定されていた吸水性ポリマー重量を算出し、肌対向面側の吸水性ポリマー坪量とする。測定は５枚行い平均値を算出する。
非肌対向面側の吸水性ポリマー坪量については、同様に肌対向面側の吸水性ポリマーを固定した上で、非肌対向面側の吸水性ポリマーを剥離、洗浄し、算出する。
【００４２】
また、各長尺状基体部２の両面（上下面）の表面に吸水性ポリマーの粒子３を固定する際には、着用者の肌に遠い非肌対向面（下面）の表面で液を大量に保持させ、肌対向面（上面）の表面に液を残さずに肌触りを向上させる観点から、長尺状基体部２の一方の面（上面）の表面に固定された吸水性ポリマー３は、該長尺状基体部２の他方の面（下面）の表面に固定された吸水性ポリマー３に比べて、加圧下通液性能が高く、遠心保持量が低いことが好ましい。このように、長尺状基体部２の一方の面（上面）の表面に固定された吸水性ポリマー３の種類と、該長尺状基体部２の他方の面（下面）の表面に固定された吸水性ポリマー３の種類とが異なっていることが好ましい。ここで吸水性ポリマーの種類が異なっているとは、加圧下通液速度又は遠心保持量が異なることを意味する。上記観点から、長尺状基体部２の一方の面（上面）の表面に固定された吸水性ポリマー３に関し、２．０ｋＰａでの加圧下通液速度は、２０ｍｌ／ｍｉｎ以上であることが好ましく、４０ｍｌ／ｍｉｎ以上であることが更に好ましく、そして、１０００ｍｌ／ｍｉｎ以下であることが好ましく、８００ｍｌ／ｍｉｎ以下であることが更に好ましく、具体的には、２０ｍｌ／ｍｉｎ以上１０００ｍｌ／ｍｉｎ以下であることが好ましく、４０ｍｌ／ｍｉｎ以上８００ｍｌ／ｍｉｎ以下であることが更に好ましい。また、長尺状基体部２の他方の面（下面）の表面に固定された吸水性ポリマーの粒子３に関し、２．０ｋＰａでの加圧下通液速度は、０ｍｌ／ｍｉｎ以上であることが好ましく、１０ｍｌ／ｍｉｎ以上であることが更に好ましく、そして、４００ｍｌ／ｍｉｎ以下であることが好ましく、２００ｍｌ／ｍｉｎ以下であることが更に好ましく、具体的には、０ｍｌ／ｍｉｎ以上４００ｍｌ／ｍｉｎ以下であることが好ましく、１０ｍｌ／ｍｉｎ以上２００ｍｌ／ｍｉｎ以下であることが更に好ましい。加圧下通液速度は、以下の測定方法により求められる。
【００４３】
＜加圧下通液速度の測定方法＞
加圧下通液速度は、特開２００３−２３５８８９号公報に記載されている測定方法及び測定装置を利用して測定される。即ち、１００ｍＬのガラスビーカーに、測定試料である吸水性ポリマー０．３２±０．００５ｇを膨潤するに十分な量の生理食塩水（０．９質量％塩化ナトリウム水溶液）、例えば吸水性ポリマーの飽和吸収量の５倍以上の生理食塩水に浸して３０分間放置する。別途、垂直に立てた円筒（内径２５．４ｍｍ）の開口部の下端に、金網（目開き１５０μｍ、株式会社三商販売のバイオカラム焼結ステンレスフィルター３０ＳＵＳ）と、コック（内径２ｍｍ）付き細管（内径４ｍｍ、長さ８ｃｍ）とが備えられた濾過円筒管を用意し、コックを閉鎖した状態で該円筒管内に、膨潤した測定試料を含む前記ビーカーの内容物全てを投入する。次いで、目開きが１５０μｍで直径が２５ｍｍである金網を先端に備えた直径２ｍｍの円柱棒を濾過円筒管内に挿入して、該金網と測定試料とが接するようにし、更に測定試料に２．０ｋＰａの荷重が加わるようにおもりを載せる。この状態で１分間放置した後、コックを開いて液を流し、濾過円筒管内の液面が６０ｍＬの目盛り線から４０ｍＬの目盛り線に達する（つまり２０ｍＬの液が通過する）までの時間（Ｔ１）（秒）を計測する。計測された時間Ｔ１（秒）を用い、次式から２．０ｋＰａでの加圧下通液速度を算出する。尚、式中、Ｔ０（秒）は、濾過円筒管内に測定試料を入れないで、生理食塩水２０ｍｌが金網を通過するのに要する時間を計測した値である。
加圧下通液速度（ｍｌ／ｍｉｎ）＝２０×６０／（Ｔ１−Ｔ０）
測定は５回行い（ｎ＝５）、上下各１点の値を削除し、残る３点の平均値を測定値とする。また、測定は２３±２℃、湿度５０±５％で行い、測定の前に試料を同環境で２４時間以上保存した上で測定する。加圧下通液速度の更に詳細な測定方法は、特開２００３−２３５８８９号公報の段落〔０００８〕及び段落〔０００９〕に記載されており、また測定装置は、同公報の図１及び図２に記載されている。
【００４４】
上記観点から、長尺状基体部２の一方の面（上面）の表面に固定された吸水性ポリマー３に関し、その遠心保持量（吸水量）は、２０ｇ／ｇ以上であることが好ましく、２５ｇ／ｇ以上であることが更に好ましく、そして、５０ｇ／ｇ以下であることが好ましく、４５ｇ／ｇ以下であることが更に好ましく、具体的には、２０ｇ／ｇ以上５０ｇ／ｇ以下であることが好ましく、２５ｇ／ｇ以上４５ｇ／ｇ以下であることが更に好ましい。また、長尺状基体部２の他方の面（下面）の表面に固定された吸水性ポリマー３に関し、その遠心保持量（吸水量）は、２５ｇ／ｇ以上であることが好ましく、３０ｇ／ｇ以上であることが更に好ましく、そして、６５ｇ／ｇ以下であることが好ましく、５５ｇ／ｇ以下であることが更に好ましく、具体的には、２５ｇ／ｇ以上６５ｇ／ｇ以下であることが好ましく、３０ｇ／ｇ以上５５ｇ／ｇ以下であることが更に好ましい。遠心保持量（吸水量）は、以下の測定方法により求められる。
【００４５】
＜遠心保持量（吸水量）の測定方法＞
遠心保持量（吸水量）の測定は、ＪＩＳ  Ｋ  ７２２３（１９９６）に準拠して行う。ナイロン製の織布（三力製作所販売、品名：ナイロン網、規格：２５０メッシュ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。次いで、測定試料である吸水性ポリマー１．００ｇを精秤し、作製したナイロン袋の底部に均一になるように入れる。次いで、試料の入ったナイロン袋を、２５℃に調温した生理食塩水（０．９質量％塩化ナトリウム水溶液）に浸漬させる。そして浸漬開始から１時間後にナイロン袋を生理食塩水から取り出し、１時間垂直状態に吊るして水切りした後、遠心脱水器（コクサン（株）製、型式Ｈ−１３０Ｃ特型）を用いて脱水する。脱水条件は、１４３Ｇ（８００ｒｐｍ）で１０分間とする。脱水後、試料の質量を測定し、次式に従って目的とする遠心保持量（吸水量）を算出する。
遠心保持量（ｇ／ｇ）＝（ａ'−ｂ−ｃ）／ｃ
式中、ａ'は遠心脱水後の試料及びナイロン袋の総質量（ｇ）、ｂはナイロン袋の吸水前（乾燥時）の質量（ｇ）、ｃは試料の吸水前（乾燥時）の質量（ｇ）を表す。
測定は５回行い（ｎ＝５）、上下各１点の値を削除し、残る３点の平均値を測定値とする。また、測定は２３±２℃、湿度５０±５％で行い、測定の前に試料を同環境で２４時間以上保存した上で測定する。
【００４６】
シート状物１は、図５に示すような膨潤後の状態において、吸水性ポリマーの粒子３が、長尺状基体部２の縦方向（ｙ１方向）に沿う側縁部２ｓを越えて膨潤するようになされていることが好ましい。ここで、吸水性ポリマーの粒子３が長尺状基体部２の側縁部２ｓを越えて膨潤するとは、言い換えれば、シート状物１の膨潤後の状態において、例えば図５に示す膨潤した吸水性ポリマーの粒子３ａのように、膨潤した吸水性ポリマーの粒子３が長尺状基体部２の側縁部２ｓに跨って存在することを意味する。尚、シート状物１の膨潤後の状態において、膨潤した吸水性ポリマーの粒子３が長尺状基体部２の側縁部２ｓに跨って存在するようになるのであれば、シート状物１の使用前の状態においては、吸水性ポリマーの粒子３が長尺状基体部２の側縁部２ｓよりも内側に存在していてもよく、或いは、例えば図４に示す使用前（膨潤前）の吸水性ポリマーの粒子３ｂのように、吸水性ポリマーの粒子３が当初から長尺状基体部２の側縁部２ｓに跨って存在していてもよい。
【００４７】
更に、シート状物１は、図５に示すような膨潤後の状態において、長尺状基体部２における吸水性ポリマーの粒子３の位置が、厚み方向（ｚ１方向）において、上下にずれる、斜めになる等、液を吸収する前の位置と異なるようになされていることが好ましい。ここで、シート状物１の膨潤後の状態において、長尺状基体部２の位置が、厚み方向（ｚ１方向）において、液を吸収する前の位置と異なるとは、吸水性ポリマーの粒子３の膨潤後の状態における長尺状基体部２の位置と、吸水性ポリマーの粒子３の使用前（膨潤前）の状態における長尺状基体部２の位置とが異なるように形成されていることを意味する。
【００４８】
また、おむつ１０では、排尿後の各サイド領域ＳＴのフィット性維持の観点から、各長尺状基体部２の両面（上面及び下面）の表面において、吸収性コア２４であるシート状物１の中央領域ＣＴに配された吸収性ユニット４の吸水性ポリマー３の坪量の方が、吸収性コア２４であるシート状物１の各サイド領域ＳＴに配された吸収性ユニット４の吸水性ポリマー３の坪量よりも大きいことが好ましい。中央領域ＣＴに配された吸収性ユニット４の吸水性ポリマー３の坪量は、上記観点から、片面あたり、３０ｇ／ｍ２以上４００ｇ／ｍ２以下であることが好ましく、５０ｇ／ｍ２以上３００ｇ／ｍ２以下であることが更に好ましい。各サイド領域ＳＴに配された吸収性ユニット４の吸水性ポリマー３の坪量は、上記観点から、片面あたり、１０ｇ／ｍ２以上２５０ｇ／ｍ２以下であることが好ましく、３０ｇ／ｍ２以上１５０ｇ／ｍ２以下であることが更に好ましい。
【００４９】
おむつ１０の吸収性本体２０では、図６に示すように、表面シート２１は、吸収性コア２４を有する吸収体２３の肌対向面の全面を被覆し、吸収体２３の両側縁部から物品横方向Ｘ外方に延出した延出部位２１Ｅを有しており、該延出部位２１Ｅが、吸収体２３の非肌対向面側に折り返されて、吸収性コア２４の各サイド領域ＳＴに位置する吸収体２３の非肌対向面を被覆している。好適には、吸収性本体２０は、吸収性コア２４の肌対向面を被覆する表面シート２１と、吸収性コア２４の非肌対向面を被覆する裏面シート２２とを備えている。表面シート２１は、液透過性のシートからなり、おむつ１０の着用状態において着用者の肌に対向するシートである。表面シート２１は、吸収性コア２４であるシート状物１の物品縦方向Ｙの全域を被覆し、表面シート２１の延出部位２１Ｅの先端部２１Ｅ１は、吸収性コア２４であるシート状物１の各サイド領域ＳＴを越えて、中央領域ＣＴに位置する吸収体２３の非肌対向面にまで達している。裏面シート２２は、吸収性コア２４であるシート状物１の物品縦方向Ｙの全域を被覆し、且つ物品横方向Ｘの全域も被覆している。裏面シート２２は、液不透過性ないし撥水性のシートからなり、外装体３０と対向するシートである。
【００５０】
おむつ１０では、表面シート２１の延出部位２１Ｅは、図６に示すように、その先端部２１Ｅ１が、延出部位２１Ｅよりも非肌対向面側に位置し且つ延出部位２１Ｅと隣接する吸収性物品の構成部材に固定されている。好適には、おむつ１０では、吸収性本体２０は、物品縦方向Ｙに沿う両側部に一対の防漏カフ２６，２６を有している。防漏カフ２６は、物品縦方向Ｙに長い矩形をした撥水性のシート材料２７を二つ折りし、二つ折りされた状態の該シート材料２７における側部域を、裏面シート２２と、表面シート２１の延出部位２１Ｅとの間に介在配置させて固定している。即ち、おむつ１０では、表面シート２１の先端部２１Ｅ１が固定される非肌対向面側の吸収性物品の構成部材とは、防漏カフ２６を形成するシート材料２７である。この接合によって、物品縦方向Ｙに延びる接合部２８が形成されている。
【００５１】
おむつ１０では、接合部２８は、ヒートシール、高周波シール、超音波シール、ホットメルト型の接着剤等の公知の接合手段を用いて、防漏カフ２６を形成するシート材料２７と、表面シート２１の延出部位２１Ｅの先端部２１Ｅ１と、裏面シート２２とを接合することにより形成されている。尚、接合部２８は、連続した直線状に形成されていてもよく、これに限定されず、所々に間欠部を有する不連続な直線状に形成されていてもよく、あるいは連続又は不連続な曲線状などに形成されていてもよい。  
【００５２】
おむつ１０では、表面シート２１の先端部２１Ｅ１が防漏カフ２６を形成するシート材料２７に固定された位置、即ち、接合部２８の位置が、図６に示すように、吸収性コア２４であるシート状物１の中央領域ＣＴと各サイド領域ＳＴとの境界に対応する位置ＢＰと一致している。好適には、おむつ１０では、図６に示すように断面視して、物品厚み方向Ｚに、接合部２８の位置と、前記境界に対応する位置ＢＰとが重なり合っている。
【００５３】
おむつ１０では、図６に示すように、二つ折りされた状態のシート材料２７は、その折り線を物品横方向Ｘの内方に位置させ、該折り線の位置の内部に、糸状の弾性部材２９ａが伸長状態で固定されている。この弾性部材２９ａが収縮することで、おむつ１０の着用状態において、防漏カフ２６が着用者の肌側に向かって起立するようになっている。
【００５４】
また、おむつ１０では、図６に示すように、防漏カフ２６を形成する二つ折りされた状態のシート材料２７の内部に、糸状の弾性部材２９ａ以外に、更に、糸状の弾性部材２９ｂが伸長状態で固定されている。弾性部材２９ｂは、防漏カフ６における糸状の弾性部材２９ａと接合部２８との間に配置され、防漏カフ２６の物品縦方向Ｙ全体に亘って配されている。また、糸状の弾性部材２９ｂは、おむつ１の展開状態において、後述する吸収体２３の側部に配置される糸状の弾性部材２９ｃより物品横方向Ｘ外方の位置に配置されている。
【００５５】
また、おむつ１０では、図６に示すように、吸収体２３の物品縦方向Ｙに沿う両側縁部それぞれに、側縁部に沿って弾性部材２９ｃが伸長状態で配されている。この弾性部材２９ｃは、吸収性コア２４であるシート状物１の物品縦方向Ｙの全長に亘って配されている。弾性部材２９ｃは、吸収体２３を構成するコアラップシート２５と、表面シート２１との間に位置しており、両シートに接合されている。弾性部材２９ｃの収縮力によって、吸収性コア２４の各サイド領域ＳＴに位置する吸収体２３が着用者の肌側に向かって起立するようになっている。
【００５６】
上述した使い捨ておむつ１０の各部の構成材料について説明する。
各部の構成材料は、当該技術分野において通常用いられているものを特に制限無く用いることができる。
例えば、表面シート２１としては、親水性且つ液透過性の不織布や、開孔フィルムを用いることができる。裏面シート２２としては、液不透過性の材料や撥水性の材料を用いることができる。液不透過性の材料としては、樹脂フィルムや、樹脂フィルムと不織布等とのラミネート材等を用いることができ、撥水性の材料としては、撥水性不織布等を用いることができる。撥水性不織布としては、防漏カフ２６を形成するシート材料２７として用いる、後述する不織布を用いることができる。コアラップシート２５としては、湿式抄造法により製造した薄葉紙（ティッシュペーパー）や液透過性の不織布等を用いることができる。
【００５７】
防漏カフ２６を形成するシート材料２７としては、スパンボンド・メルトブローン・スパンボンド等からなる多層構造の複合不織布、スパンボンド不織布、ヒートボンド不織布、エアスルー不織布等を用いることができ、柔軟性、耐水性などの点から、スパンボンドとメルトブローンとからなる多層構造の不織布が好ましい。
【００５８】
外装体３０を形成する内層シート３１及び外層シート３２としては、好適には同一の又は異なる通気性シート、例えば各種の方法で製造された不織布から構成されている。内層シート３１及び外層シート３２としては、例えば、スパンボンド不織布が好ましく用いられる。
【００５９】
吸収性本体２０に用いる糸状の弾性部材２９ａ，２９ｂ，２９ｃの形態としては、糸ゴム、所定幅の帯状のもの（平ゴム等）等が好ましく、特に糸ゴムが好ましい。外装体３０に用いる糸状の弾性部材３３（ウエスト部弾性部材３３Ｗ、レッグ部弾性部材３３Ｌ及び胴回り弾性部材３３Ｄ）も同様に、糸ゴム、所定幅の帯状のもの（平ゴム等）等が好ましく、特に糸ゴムが好ましい。弾性部材２９ａ，２９ｂ，２９ｃ、並びに弾性部材３３（ウエスト部弾性部材３３Ｗ、レッグ部弾性部材３３Ｌ及び胴回り弾性部材３３Ｄ）の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。      
【００６０】
上述した本発明の本実施形態のおむつ１０を使用した際の作用効果について説明する。
おむつ１０は、図１及び図２に示すように、吸収体２３の吸収性コア２４が、吸水性ポリマー３を備えた吸収性ユニット４を複数本具備したシート状物１から形成されている。また、吸収性コア２４であるシート状物１の各サイド領域ＳＴにおいて、図３に示すように、各吸収性ユニット４は、その縦方向（ｙ１方向）が物品横方向Ｘを向くように配列されている。そして、表面シート２１は、図６に示すように、吸収体２３の肌対向面の全面を被覆し、吸収体２３の両側縁部から物品横方向Ｘ外方に延出した延出部位２１Ｅを有しており、該延出部位２１Ｅが、吸収体２３の非肌対向面側に折り返されて、吸収性コア２４の各サイド領域ＳＴに位置する吸収体２３の非肌対向面を被覆して、延出部位２１Ｅの先端部２１Ｅ１が、隣接する吸収性物品の構成部材に接合部２８にて固定されている。このように、各吸収性ユニット４が、その縦方向（ｙ１方向）が物品横方向Ｘを向くように配列されているとともに、表面シート２が各吸収性ユニット４の配列されたシート状物１の各サイド領域ＳＴを包むように配されているので、図７に示すように、着用時に各サイド領域ＳＴに対応する吸収体２３のサイド部分の吸収体が立ち上がり易く、股下部Ｃのフィット性及び防漏性能が向上し、また、着用中に着用者に違和感を与え難くなっている。
【００６１】
また、おむつ１０では、図７に示すように、防漏カフ２６を形成するシート材料２７の二つ折り線の位置に、糸状の弾性部材２９ａが伸長状態で固定されているので、この弾性部材２９ａが収縮することで、防漏カフ２６が起立するに伴い、吸収体２３のサイド部分の吸収体が更に立ち上がり易くなっている。更に、おむつ１０では、図７に示すように、吸収体２３の両側縁部に、弾性部材２９ｃが伸長状態で配されているので、弾性部材２９ｃの収縮力によって、吸収性コア２４の各サイド領域ＳＴに位置する吸収体２３が着用者の肌側に向かって更に起立するようになっている。更に、おむつ１０では、図７に示すように、弾性部材２９ｃより物品横方向Ｘ外方の位置に、糸状の弾性部材２９ｂが配されているので、殊更各サイド領域ＳＴに位置する吸収体２３が起立し易くなっている。
【００６２】
また、おむつ１０では、図６に示すように、表面シート２１の先端部２１Ｅ１が防漏カフ２６を形成するシート材料２７に固定された位置（接合部２８）と、吸収性コア２４であるシート状物１の中央領域ＣＴと各サイド領域ＳＴとの境界に対応する位置ＢＰとが一致している。その為、吸収体２３のサイド部分の吸収体が更に立ち上がり易くなっている。
【００６３】
また、おむつ１０では、図３に示すように、吸収性コア２４であるシート状物１の中央領域ＣＴにおいて、各吸収性ユニット４は、その縦方向（ｙ１方向）が物品縦方向Ｙを向くように配列されている。その為、おむつ１０の着用中に、吸収性本体２０における中央領域ＣＴに対応する部分が、着用者の股間幅にフィットし易い。また、体液が、シート状物１の中央領域ＣＴにおいて物品縦方向Ｙに拡散し易く、シート状物１全体を有効に活用でき、吸収性能が向上する。
【００６４】
また、おむつ１０では、吸収性コア２４であるシート状物１は、図５に示すように、膨潤後の状態において、吸水性ポリマーの粒子３が長尺状基体部２の側縁部２ｓを越えて膨潤し（図５に示す吸水性ポリマーの粒子３ａ参照）、且つ、長尺状基体部２における吸水性ポリマーの粒子３の位置が、厚み方向（Ｚ方向，ｚ１方向）において、液を吸収する前の位置と異なるようになされている。その為、図５に示すように、体液を吸水性ポリマーの粒子３が吸収して膨潤している際に、隣り合う吸収性ユニット４，４どうしにおいて、長尺状基体部２の側縁部２ｓを越えて膨潤した吸水性ポリマーの粒子３，３どうしが接触したとしても、隣り合う吸収性ユニット４，４どうしが厚み方向（Ｚ方向，ｚ１方向）に自由に動き易く、膨潤した吸水性ポリマーの粒子３，３どうしの衝突が緩和され、膨潤した吸水性ポリマーの粒子３に掛かる圧力を低減でき、吸水性ポリマーの粒子３の体液の吸収を阻害し難い。従って、吸収性コア２４であるシート状物１は、体液を吸水性ポリマーの粒子３が吸収して膨潤している際に、吸水性ポリマーの粒子３が膨潤阻害を起こし難く、吸水性ポリマーの粒子３の吸収性能を最大限に発揮できるので、おむつ１０の吸収性能が向上し易い。特に、おむつ１０では、シート状物１は、隣り合う吸収性ユニット４，４間においては介在物が非存在状態となっているので、吸収性ユニット４が移動し易く、上記効果を一層奏し易くなっている。
【００６５】
また、おむつ１０では、シート状物１は、図５に示すような膨潤後の状態において、隣り合う吸収性ユニット４を構成する長尺状基体部２どうしの位置が、厚み方向（Ｚ方向，ｚ１方向）において、異なるようになされている。その為、隣り合う吸収性ユニット４，４どうしが厚み方向（Ｚ方向，ｚ１方向）に自由に動き易く、膨潤した吸水性ポリマーの粒子３，３どうしの衝突が緩和され易く、膨潤した吸水性ポリマーの粒子３に掛かる圧力を低減でき、吸水性ポリマーの粒子３の体液の吸収を阻害し難い。
【００６６】
おむつ１０のシート状物１において、膨潤後の状態の吸水性ポリマーの粒子３を長尺状基体部２の側縁部２ｓを越えて膨潤させて、隣り合う吸収性ユニット４，４どうしを厚み方向（Ｚ方向，ｚ１方向）に自由に動かし、吸水性ポリマーの粒子３の膨潤阻害を一層起こし難くする観点から、図４に示すような使用前の状態において、吸水性ポリマーの粒子３が、長尺状基体部２の縦方向（ｙ１方向）に沿う側縁部２ｓ近傍に配されていることが好ましく、吸水性ポリマーの粒子３が、長尺状基体部２の側縁部２ｓを越えてはみ出していることが更に好ましい（図４に示す吸水性ポリマーの粒子３ｂ参照）。
【００６７】
特に、シート状物１の中央領域ＣＴにおいて、膨潤後の状態の吸水性ポリマーの粒子３を長尺状基体部２の側縁部２ｓを越えて膨潤させて、隣り合う吸収性ユニット４，４どうしを厚み方向（Ｚ方向，ｚ１方向）に自由に動かし、吸水性ポリマーの粒子３の膨潤阻害を一層起こし難くする観点から、長尺状基体部２の縦方向（ｙ１方向）に沿う両側縁部２ｓ，２ｓ間の距離が、使用前（膨潤前）の状態の吸水性ポリマーの粒子３の平均粒子径よりも大きく、膨潤後の状態の吸水性ポリマーの粒子３の平均粒子径よりも小さいことが好ましい。尚、長尺状基体部２の両側縁部２ｓ，２ｓ間の距離とは、上述した長尺状基体部２の幅（Ｗ２Ｃ）と同じ意味である。使用前（膨潤前）の状態の吸水性ポリマーの粒子３の平均粒子径は、２０μｍ以上であることが好ましく、２００μｍ以上であることが更に好ましく、そして、７００μｍ以下であることが好ましく、５００μｍ以下であることが更に好ましく、具体的には、２０μｍ以上７００μｍ以下であることが好ましく、２００μｍ以上５００μｍ以下であることが更に好ましい。一方、膨潤後の状態の吸水性ポリマー３の平均粒子径は、２００μｍ以上であることが好ましく、８００μｍ以上であることが更に好ましく、そして、３０００μｍ以下であることが好ましく、２０００μｍ以下であることが更に好ましく、具体的には、２００μｍ以上３０００μｍ以下であることが好ましく、８００μｍ以上２０００μｍ以下であることが更に好ましい。吸水性ポリマーの粒子３の平均粒子径は、以下の測定方法により求められる。
【００６８】
＜使用前の状態の吸水性ポリマーの粒子の平均粒子径ｄ１の測定方法＞
使用前の状態における平均粒子径ｄ１は、使用前の吸水性ポリマーの粒子を用い、吸水性ポリマーの粒子の直径もしくは長軸を光学顕微鏡観察で測定した。ここで直径とは、吸水性ポリマーの粒子が球状の場合を指す。また、長軸とは、吸水性ポリマーの粒子がひし形、長方形、房状、フットボール型などの異型状の場合を指す。計５０個の吸水性ポリマーの粒子の直径もしくは長軸を測定し、その数平均粒子径を使用前の状態の吸水性ポリマーの粒子の平均粒子径ｄ１とする。
【００６９】
＜膨潤後の状態の吸水性ポリマーの粒子の平均粒子径ｄ２の測定方法＞
膨潤後の状態における平均粒子径ｄ２は、シート状物１を２５℃に調温した生理食塩水（０．９質量％塩化ナトリウム水溶液）中に浸漬させ、浸漬開始から１時間後にシート状物１を生理食塩水から取り出し、３０分間垂直状態に吊るして水切りした後、長尺状基材部２の表面の吸水性ポリマーの粒子の直径もしくは長軸を光学顕微鏡観察で測定した。ここで言う直径とは、吸水性ポリマーの粒子が球状の場合を指す。また、長軸とは、吸水性ポリマーの粒子がひし形、長方形、房状、フットボール型などの異型状の場合を指す。計５０個の吸水性ポリマーの粒子の直径もしくは長軸を測定し、その数平均粒子径を膨潤後の状態の吸水性ポリマーの粒子の平均粒子径として測定できる。
【００７０】
次に、本発明の一実施形態である使い捨ておむつ１０に用いられているシート状物の製造方法の好ましい一実施態様を、上記構成のシート状物１を製造する場合を例にして、図８を参照して説明する。図８には、本実施態様の製造方法に好ましく用いられる製造装置１００が示されている。本実施形態の製造装置１００は、製造工程の上流側から下流側に向けて、基材シートカット部１１０、接着剤塗布部１２０及び吸水性ポリマー散布部１３０を、この順で備えている。尚、図８に示す製造装置１００においては、接着剤塗布部１２０及び吸水性ポリマー散布部１３０が一体化した装置を用いているが、接着剤塗布部１２０及び吸水性ポリマー散布部１３０が一体化していなくてもよい。前記一体化した装置は、該装置における上流側に接着剤塗布部１２０が配され、該一体化した装置における下流側に吸水性ポリマー散布部１３０が配された構成となっている。
【００７１】
基材シートカット部１１０は、長尺状基体部２の原料である帯状の基材シート２ｂをカットして複数本の長尺状基体部２を形成する部分である。基材シート２ｂのカットには、各種公知のカット装置を特に制限なく用いることができるが、製造装置１００においては、図８に示すように、図９に示す、周面に複数のカッター刃１１１ａ，１１１ａ，１１１ａ・・・が配されたロータリーダイ１１１ｂと、ロータリーダイ１１１ｂに対向配置された、周面が平坦な受けロール１１２とを備えたカット装置１１３を１セット用い、更に、図１０に示す、周面に複数のカッター刃１１５ａ，１１５ａ，１１５ａ・・・が配されたロータリーダイ１１５ｂと、ロータリーダイ１１５ｂに対向配置された、周面が平坦な受けロール１１６と、を備えたカット装置１１７を１セット用いている。
【００７２】
上流側のカット装置１１３は、基材シート２ｂの搬送方向（Ｙｄ１方向）に沿う両側部に対応するように、図９に示すように、ロールの軸方向の両端部それぞれに、複数のカッター刃１１１ａ，１１１ａ，１１１ａ・・・を配置している。複数のカッター刃１１１ａ，１１１ａ，１１１ａ・・・は、それぞれ、ロールの周方向に間隔を空けて配置され、その刃の方向が、帯状の基材シート２ｂの搬送方向（Ｙｄ１方向）に直交する方向（Ｘｄ１方向）に配置されている。ロールの周方向に隣り合うカッター刃１１１ａ，１１１ａどうしの間隔は、形成されるサイド領域ＳＴの各長尺状基体部２の幅Ｗ２Ｓ（図３参照）に対応している。ここで、基材シート２ｂの搬送方向（Ｙｄ１方向）は、製造されるシート状物１の物品縦方向Ｙに対応しており、直交する方向（Ｘｄ１方向）は、製造されるシート状物１の物品横方向Ｘに対応している。尚、基材シート２ｂのカットには、レーザー光を照射して溶断するレーザー装置を用いてもよい。
【００７３】
図３に示すシート状物１のように、シート状物１が、物品横方向Ｘの両端部に非スリット領域ＮＴ２を備えている場合には、例えば、図９に示すように、ロールの周面に、カッター刃１１１ａを配置しない非配置部分１１４を形成するようにすればよい。そして、回転するカッター刃１１１ａを有するロールの周面における非配置部分１１４の円弧の長さは、図３に示すシート状物１の物品縦方向Ｙの両端部に配置される非スリット領域ＮＴ１の物品縦方向Ｙの長さの合計と等しい長さに対応するようにする。尚、カッター刃１１１ａのロールの軸方向の長さは、図３に示すシート状物１のサイド領域ＳＴの有する長尺状基体部２の縦方向（ｙ１方向）の長さＬ２Ｓ（図３参照）に対応している。また、シート状物１が、物品縦方向Ｙに沿う両側部に非スリット領域ＮＴ２を備えている場合には、カッター刃１１１ａのロールの軸方向の長さが、該非スリット領域ＮＴ２に対応する位置にまで延びていないカッター刃１１１ａを用いればよい。
【００７４】
下流側のカット装置１１７は、基材シート２ｂの搬送方向（Ｙｄ１方向）の中央領域に対応するように、図１０に示すように、複数のカッター刃１１５ａ，１１５ａ，１１５ａ・・・と、複数のカッター刃１１５ａ，１１５ａ，１１５ａ・・・に共通して対向配置された、周面が平坦な受けロール１１６とを備えたカット装置１１７である。カット装置１１７の複数のカッター刃１１５ａ，１１５ａ，１１５ａ・・・は、それぞれ、帯状の基材シート２ｂの搬送方向（Ｙｄ１方向）に直交する方向（Ｘｄ１方向）に一致して配置されている。直交する方向（Ｘｄ１方向）に隣り合うカッター刃１１５ａ，１１５ａどうしの間隔は、形成される中央領域ＣＴの各長尺状基体部２の幅Ｗ２Ｃ（図３参照）に対応している。尚、基材シート２ｂのカットには、上刃と下刃の側面を擦り合わせて切断するシェアカット方式のカット装置を用いてもよく、レーザー光を照射して溶断するレーザー装置を用いてもよい。
【００７５】
図３に示すシート状物１のように、シート状物１が、物品縦方向Ｙの両端部に非スリット領域ＮＴ１を備えている場合には、例えば、図１０に示すように、ロールの周面に、カッター刃１１５ａを配置しない非配置部分１１８を形成するようにすればよい。回転するカッター刃１１５ａの外周における非配置部分１１８の円弧の長さは、図３に示すシート状物１の有する非スリット領域ＮＴ１の物品縦方向Ｙの長さの合計と等しい長さに対応するようにする。このような非配置部分１１８を備える複数のカッター刃１１５ａ，１１５ａ，１１５ａ・・・を用意し、Ｘｄ１方向に隣り合うカッター刃１１５ａの非配置部分１１８，１１８どうしの位置を合わせて配置したものを用いればよい。尚、回転するカッター刃１１５ａの外周における非配置部分１１８を除く部分の円弧の長さが、図３に示すシート状物１の中央領域ＣＴの有する長尺状基体部２の縦方向（ｙ１方向）の長さＬ２Ｃ（図３参照）に対応している。
【００７６】
基材シートカット部１１０の下流側に位置する接着剤塗布部１２０は、長尺状基体部２の一方の面（上面）の表面に接着剤５を塗布する部分であり、製造装置１００においては、図８に示すように、塗布ヘッド１２１を備えている。塗布ヘッド１２１には、各種公知の塗布装置を特に制限なく用いることができる。塗布ヘッド１２１は、Ｘｄ１方向においては、シート状物１の吸収領域ＡＴの幅（物品横方向Ｘの長さ）に対応する長さを有するように形成されている。このように形成された塗布ヘッド１２１が、長尺状基体部２の一方の面（上面）上に間隔を空けて配置されている。
【００７７】
接着剤塗布部１２０の下流側に位置する吸水性ポリマー散布部１３０は、長尺状基体部２の一方の面（上面）の表面に吸水性ポリマーの粒子３を散布して吸収性ユニット４を形成する部分であり、製造装置１００においては、図８に示すように、吸水性ポリマー導入部１３１を備えている。吸水性ポリマー導入部１３１には、各種公知の導入装置を特に制限なく用いることができる。吸水性ポリマー導入部１３１は、Ｘｄ１方向においては、シート状物１の吸収領域ＡＴの幅（物品横方向Ｘの長さ）に対応する長さを有するように形成されている。このように形成された吸水性ポリマー導入部１３１が、長尺状基体部２の一方の面（上面）上に間隔を空けて配置されている。
【００７８】
また、図８に示す製造装置１００においては、接着剤塗布部１２０及び吸水性ポリマー散布部１３０が一体化した装置に対向する位置であって、搬送される複数本の長尺状基体部２の下面側にバキュームコンベア１４１が配されている。バキュームコンベア１４１は、駆動ロール１４２及び複数の従動ロール１４３に架け渡された無端状の通気性ベルト１４４と、通気性ベルト１４４を挟んで前記一体化した装置に対向する位置に配されたバキュームボックス１４５とを備えている。バキュームコンベア１４１上には、基材シートカット部１１０にて基材シート２ｂをカットして形成される複数本の長尺状基体部２が導入されるようになっている。
【００７９】
また、図８に示す製造装置１００においては、帯状の基材シート２ｂの原反ロールから基材シート２ｂを繰り出す駆動ロール１５１と、最も下流側に、製造されたシート状物１の前駆体１ｂを搬送する駆動ロール１５２とを備えている。
【００８０】
次に、前述した本実施形態の製造装置１００を用いてシート状物１を連続的に製造する方法、即ち、本発明の一実施形態である使い捨ておむつ１０に用いられているシート状物１の製造方法の一実施態様について説明する。
製造装置１００を用いるシート状物１の製造方法は、帯状の基材シート２ｂをカットして複数本の長尺状基体部２を形成するカット工程、該カット工程の後工程に、吸水性ポリマーの粒子３を散布する吸水性ポリマーの粒子散布工程を備えている。また、本実施態様においては、吸水性ポリマーの粒子散布工程よりも前工程に、接着剤５を塗布する接着剤塗布工程を備えている。即ち、製造装置１００を用いるシート状物１の製造方法は、カット工程の後工程に接着剤塗布工程を備え、接着剤塗布工程の後工程に吸水性ポリマーの粒子散布工程を備えている。
【００８１】
前記カット工程の実施に先立ち、先ず、バキュームボックス１４５内を、それに接続された排気装置を作動させて負圧にする。
【００８２】
次いで、駆動ロール１５１及び駆動ロール１５２を駆動させ、カット装置１１３及び通気性ベルト１４４を回転させ、バキュームコンベア１４１を作動させる。そして、駆動ロール１５１により帯状の基材シート２ｂの原反ロールから基材シート２ｂを繰り出し、基材シートカット部１１０のカット装置１１３における複数のカッター刃１１１ａを有するロールと受けロール１１２との間、及び、複数のカッター刃１１５ａと受けロール１１６との間に供給し、そして、帯状の基材シート２ｂをカットして複数本の長尺状基体部２を形成する（カット工程）。尚、製造装置１００を用いるシート状物１の製造方法においては、帯状の基材シート２ｂを、複数のカッター刃１１１ａを有するロールと受けロール１１２との間に供給してカットし、その後、複数のカッター刃１１５ａと受けロール１１６との間に供給してカットして、複数本の長尺状基体部２を形成しているが、複数のカッター刃１１５ａと受けロール１１６との間に供給してカットし、その後、複数のカッター刃１１１ａを有するロールと受けロール１１２との間に供給してカットして、複数本の長尺状基体部２を形成してもよい。
【００８３】
上流側にカット装置１１３を用いる実施態様においては、図９に示すように、ロールの軸方向の両端部に複数のカッター刃１１１ａ，１１１ａ，１１１ａ・・・が配され、該ロールの軸方向の各端部に配された各カッター刃１１１ａの刃の向きが、帯状の基材シート２ｂの搬送方向（Ｙｄ１方向）に直交する方向（Ｘｄ１方向）に配置されているので、帯状の基材シート２ｂを、基材シート２ｂの搬送方向（Ｙｄ１方向）に沿う両サイド領域にてカットし、且つ、各サイド領域にて、搬送方向（Ｙｄ１方向）に間隔を空けて、直交する方向（Ｘｄ１方向）に沿って複数箇所カットして複数本の長尺状基体部２が形成される。また、カッター刃１１１ａでカットされた部分が、各サイド領域ＳＴに配された長尺状基体部２の側縁部２ｓとなる。
【００８４】
また、製造装置１００を用いる実施態様においては、ロールの軸方向の両端部の周面に、カッター刃１１１ａを配置しない非配置部分１１４を形成しているので、搬送される帯状の基材シート２ｂに、間欠的に、非スリット領域ＮＴ１の物品縦方向Ｙの長さの合計と等しい長さ分に対応する非カット部ＮＴｂが形成される。カット工程の上流側のカット装置１１３にて形成された両サイド領域の複数本の長尺状基体部２は、直交する方向（Ｘｄ１方向）に平行に形成されており、搬送方向（Ｙｄ１方向）に並置して配されている。
【００８５】
次いで、下流側にカット装置１１７を用いる実施態様においては、図１０に示すように、複数のカッター刃１１５ａが、基材シート２ｂの搬送方向（Ｙｄ１方向）の中央領域に配され、各カッター刃１１５ａが、帯状の基材シート２ｂの搬送方向（Ｙｄ１方向）に直交する方向（Ｘｄ１方向）に一致して配置されているので、帯状の基材シート２ｂの中央領域にてカットし、且つ、中央領域に、直交する方向（Ｘｄ１方向）に間隔を空けて、搬送方向（Ｙｄ１方向）に沿って複数箇所カットして複数本の長尺状基体部２が形成される。また、カッター刃１１５ａでカットされた部分が、中央領域ＣＴに配された長尺状基体部２の側縁部２ｓとなる。
【００８６】
また、製造装置１００を用いる実施態様においては、複数のカッター刃１１５ａが、それぞれ、非配置部分１１８を有しているので、非配置部分１１８の位置を、上流側のカット装置１１３にて形成された非カット部ＮＴｂに合わせることにより、搬送される帯状の基材シート２ｂに、間欠的に、非スリット領域ＮＴ１の物品縦方向Ｙの長さの合計と等しい長さ分に対応する非カット部ＮＴｂが形成される。カット工程の下流側のカット装置１１７にて形成された中央領域の複数本の長尺状基体部２は、搬送方向（Ｙｄ１方向）に平行に形成されており、直交する方向（Ｘｄ１方向）に並置して配されている。
【００８７】
次いで、カット工程にて形成された長尺状基体部２の一方の面の表面に、接着剤５を塗布する（接着剤塗布工程）。製造装置１００を用いる実施態様においては、カット工程にて形成された複数本の長尺状基体部２をバキュームコンベア１４１で搬送しながら、バキュームボックス１４５上に位置する間に、接着剤塗布部１２０の塗布ヘッド１２１により、直交する方向（Ｘｄ１方向）に並置して形成された複数本の長尺状基体部２の一方の面（上面）の表面に、非カット部ＮＴｂを除いて、間欠的に接着剤５を塗布する。
【００８８】
次いで、接着剤塗布工程にて形成された複数本の長尺状基体部２の一方の面（上面）の表面に塗布された接着剤５上に、吸水性ポリマーの粒子３を散布する（吸水性ポリマーの粒子散布工程）。製造装置１００を用いる実施態様においては、接着剤塗布工程にて形成された一方の面（上面）の表面に接着剤５が塗布された長尺状基体部２をバキュームコンベア１４１で搬送しながら、バキュームボックス１４５上に位置する間に、吸水性ポリマー散布部１３０の吸水性ポリマー導入部１３１により、並置した複数本の長尺状基体部２の一方の面（上面）の表面に塗布された接着剤５上に、非カット部ＮＴｂを除いて、吸水性ポリマーの粒子３を散布する。このように吸水性ポリマーの粒子３を散布することにより、接着剤５を介して吸水性ポリマーの粒子３が長尺状基体部２の表面に固定された吸収性ユニット４を複数本形成する。
【００８９】
シート状物１では、各長尺状基体部２の両面（上下面）の表面に吸水性ポリマーの粒子３が固定されているので、例えば、図４に示す製造装置１００を用いて、各長尺状基体部２の一方の面（上面）の表面に吸水性ポリマーの粒子３を固定させた後、反転ロールを介して反転させ、その後別の吸水性ポリマー散布部１３０を用いて、各長尺状基体部２の他方の面（下面）の表面に吸水性ポリマーの粒子３を散布して固定させることにより製造できる。
【００９０】
以上のようにして、シート状物１の前駆体１ｂが形成される。形成されたシート状物１の前駆体１ｂにおいては、中央領域に形成された複数本の吸収性ユニット４は、それぞれの縦方向（ｙ１方向）が、搬送方向（Ｙｄ１方向）を向くように配列しており、各サイド領域に形成された複数本の吸収性ユニット４は、それぞれの縦方向（ｙ１方向）が、直交する方向（Ｘｄ１方向）を向くように配列している。
【００９１】
次いで、シート状物１の前駆体１ｂを駆動ロール１５２により下流側に搬送し、公知の切断装置（不図示）を用いて、非カット部ＮＴｂの搬送方向（Ｙｄ１方向）の長さの二等分の位置毎に切断して、物品縦方向Ｙの両端部に非スリット領域ＮＴ１を有するシート状物１を、連続して製造する。このように、製造装置１００を用いた実施態様によれば、シート状物１を安定的に効率良く製造することができる。
【００９２】
また、製造装置１００を用いる実施態様によれば、複数のカッター刃１１１ａ，１１１ａ，１１１ａ・・・、又は、複数のカッター刃１１５ａ，１１５ａ，１１５ａ・・・を用いて、均一な幅の長尺状基体部２を形成した後、長尺状基体部２の一方の面（上面）の表面に接着剤５を塗布しているので、製造されるシート状物１においては、中央領域ＣＴ又は各サイド領域ＳＴに形成された、横方向（ｘ１方向）に隣り合う吸収性ユニットの長尺状基体部２，２どうしが、全体に亘って隣接している形態となり易い。このようなシート状物１を安定的に効率良く製造することができる。
【００９３】
本発明の一実施形態である使い捨ておむつ１０は、製造装置１００を用いて製造されたシート状物１を吸収性コア２４に用いる以外は、いわゆる横流れ方式のパンツ型使い捨ておむつの公知の製造方法と同様にして製造することができる。例えば、シート状物１を、その長さ方向を流れ方向（縦流れ）に連続的に搬送しながら、帯状のコアラップシート２５で全体を被覆して、シート状物１が流れ方向に間欠的に配された吸収体２３の連続体を形成する。その後、連続する糸状の弾性部材２９ａ，２９ｂ，２９ｃが内部に配されている折り返されたシート材料２７を、帯状の表面シート２１の両側部に固定して形成されたトップシート部材で、吸収体２３の連続体の上面を被覆すると共に、帯状の裏面シート２２で吸収体２３の連続体の下面を被覆する。その後、該トップシート部材の流れ方向（縦流れ）に沿う両側部を、吸収体２３の連続体の下面側に巻き下げ、これらの構成部材を固定し、流れ方向（縦流れ）に隣り合うシート状物１の間毎に分断して、吸収性本体２０を流れ方向（縦流れ）に連続的に製造する。その後は、各吸収性本体２０を９０度回転させ、別工程で製造された帯状の外装体３０の内層シート３１上に、ホットメルト接着剤等の接着剤を介して固定し、おむつ１の連続体を形成する。次いで、吸収性本体２０が配置された外装体３０の連続体におけるレッグ部弾性部材３３Ｌで環状に囲まれた環状部の内側にレッグホールを形成する。次いで、外装体３０の連続体の流れ方向の両側部が重なるように重ね合わせ、外装体３０の連続体と吸収性本体２０とを２つ折りする。その後は、サイドシール部Ｓを間欠的に形成し、その後、サイドシール部Ｓにて切断して、おむつ１を連続的に製造する。
【００９４】
本発明は、前記実施形態に制限されず適宜変更可能である。
上述したおむつ１０の有する吸収性コア２４であるシート状物１は、図２及び図３に示すように、中央領域ＣＴ及び各サイド領域ＳＴの何れにおいても、均一な幅の長尺状基体部２を有する吸収性ユニット４を複数本用いて形成されているが、長尺状基体部２の幅は不均一であってもよい。好適には、シート状物１を平面視して、吸水性ポリマーの粒子３が偏在して固定されており、固定された吸水性ポリマー３の坪量が相対的に多い部分において、長尺状基体部２の縦方向（ｙ１方向）に沿う両側縁部２ｓ，２ｓ間の距離が相対的に短くなっていてもよい。即ち、固定された吸水性ポリマー３の坪量が多い部分と少ない部分を比べて、固定された吸水性ポリマー３の坪量が多い部分における長尺状基体部２の両側縁部２ｓ，２ｓ間の距離が、固定された吸水性ポリマー３の坪量が少ない部分における長尺状基体部２の両側縁部２ｓ，２ｓ間の距離よりも短く形成されていてもよい。以上の構成を有するシート状物１であれば、固定された吸水性ポリマー３の坪量が多い部分において、隣り合う吸収性ユニット４，４どうしが厚み方向（Ｚ方向，ｚ１方向）に自由に動き易く、シート状物１が硬くなり難く、また、吸水性ポリマー３の吸収性能を最大限に発揮できるので、シート状物１の吸収性能が向上し易い。
【００９５】
また、上述した図３に示すおむつ１０のシート状物１は、中央領域ＣＴにおいて、複数本の吸収性ユニット４それぞれの縦方向（ｙ１方向）がシート状物１の物品縦方向Ｙを向くように配列して形成されているが、複数本の吸収性ユニット４それぞれの縦方向（ｙ１方向）がシート状物１の物品横方向Ｘを向くように配列して形成されていてもよい。
【００９６】
また、上述した図３に示すおむつ１０のシート状物１は、各サイド領域ＳＴにおいて、各吸収性ユニット４及び各長尺状基体部２が物品横方向Ｘに平行に直線状に延びているが、形状を問わず物品横方向Ｘに延びていればよい。例えば、各吸収性ユニット４及び各長尺状基体部２は、物品横方向ＸにＳ字状を繰り返して延びていてもよく、物品横方向Ｘにギザギザ状に延びていてもよい。
【００９７】
また、上述した図２及び図６に示すおむつ１０は、吸収性本体２０が、物品縦方向Ｙに沿う両側部に一対の防漏カフ２６，２６を有しているが、本発明の吸収性物品は、一対の防漏カフ２６，２６を有していなくてもよい。一対の防漏カフ２６，２６を有していない場合、表面シート２１の延出部位２１Ｅの先端部２１Ｅ１が固定される非肌対向面側の吸収性物品の構成部材とは、裏面シート２２、或いは、外装体３０を構成する内層シート３１となる。
【００９８】
また、上述した本実施態様のシート状物１の製造方法においては、カット工程の後工程に接着剤塗布工程を備え、接着剤塗布工程の後工程に吸水性ポリマー散布工程を備えているが、基材シート２ｂの一方の面に起毛加工を施す場合には、接着剤塗布工程に換えて起毛加工工程を備えればよい。このような起毛加工工程を、カット工程の前工程に備えればよい。起毛加工を施す方法としては、例えば、特開２０１２−０９２４７６号公報に記載の方法、或いは特開２０１３−０２８８９１号公報に記載の方法等が挙げられる。
【００９９】
また、本発明の吸収性物品は、上述した使い捨ておむつ１以外に、尿や経血等の排泄体液を吸収保持するために用いられるものであればよい。吸収性物品には、例えば、展開型の使い捨ておむつ、生理用ナプキン、失禁パッド等が包含されるが、これらに限定されるものではなく、人体から排出される液の吸収に用いられる物品を広く包含するものである。
【０１００】
上述した実施形態に関し、さらに以下の吸収性物品を開示する。
【０１０１】
＜１＞
表面シート、裏面シート、及びこれら両シート間に介在された吸収体を具備する吸収性本体を備え、着用者の前後方向に対応する物品縦方向及び該物品縦方向に直交する物品横方向を有する吸収性物品であって、前記吸収体は、横方向と、横方向よりも長さの長い縦方向と、厚み方向とを有する長尺状基体部、及び該長尺状基体部の一方の面の表面に固定された吸水性ポリマーの粒子を備えた吸収性ユニットを複数本具備し、各該吸収性ユニットを、その縦方向が少なくとも一方向を向くように配列させてなるシート状物から形成された吸収性コアを有しており、前記吸収性コアは、物品横方向中央の中央領域と、該中央領域よりも物品横方向外方に設けられた一対のサイド領域とを具備し、各前記サイド領域において、各前記吸収性ユニットは、その縦方向が物品横方向を向くように配列されており、前記表面シートは、前記吸収体の肌対向面を被覆し、該吸収体の両側縁部から物品横方向外方に延出した延出部位を有しており、該延出部位が、該吸収体の非肌対向面側に折り返されて、前記吸収性コアの各前記サイド領域に位置する前記吸収体の非肌対向面を被覆しており、前記表面シートにおける折り返された前記延出部位は、その先端部が、該延出部位と隣接する前記吸収性物品の構成部材に固定されている、吸収性物品。
＜２＞
前記吸収体の両側縁部それぞれに、該側縁部に沿って弾性部材を配し、該弾性部材の収縮力によって、前記吸収性コアの各前記サイド領域に位置する前記吸収体が着用者の肌側に向かって起立する、前記＜１＞に記載の吸収性物品。
＜３＞
前記吸収性コアの各前記サイド領域に配された前記吸収性ユニットの前記長尺状基体部の縦方向に沿う両側縁部間の距離と、前記吸収性コアの前記中央領域に配された前記吸収性ユニットの前記長尺状基体部の縦方向に沿う両側縁部間の距離とが異なっている、前記＜１＞又は＜２＞に記載の吸収性物品。
＜４＞
前記吸収性コアの前記中央領域において、各前記吸収性ユニットは、その縦方向が物品縦方向を向くように配列されている、前記＜１＞〜＜３＞の何れか１に記載の吸収性物品。
＜５＞
前記吸収性コアの前記中央領域に配された前記吸収性ユニットの前記吸水性ポリマーの坪量の方が、前記吸収性コアの各前記サイド領域に配された前記吸収性ユニットの前記吸水性ポリマーの坪量よりも大きい、前記＜１＞〜＜４＞の何れか１に記載の吸収性物品。
＜６＞
前記表面シートの前記延出部位の先端部と前記吸収性物品の構成部材とが接合された位置が、前記吸収性コアの前記中央領域と各前記サイド領域との境界に対応する位置と一致している、前記＜１＞〜＜５＞の何れか１に記載の吸収性物品。
＜７＞
前記吸収性コアは、膨潤後の状態において、該吸水性ポリマーの粒子が、前記長尺状基体部の前記縦方向に沿う側縁部を越えて膨潤し、且つ該長尺状基体部における前記吸水性ポリマーの粒子の位置が、前記厚み方向において、液を吸収する前の位置と異なるようになされている、前記＜１＞〜＜６＞の何れか１に記載の吸収性物品。
＜８＞
前記吸収性コアの前記中央領域に、前記吸収性ユニットが配列されており、前記吸収性コアは、前記中央領域における前記吸収性ユニットが配列された部分では、前記吸収性物品に固定されていない、前記＜１＞〜＜７＞の何れか１に記載の吸収性物品。
＜９＞
前記吸収性コアは、前記縦方向の両端部が、前記吸収性物品に固定されている、前記＜１＞〜＜８＞の何れか１に記載の吸収性物品。
＜１０＞
前記吸収性コアは、前記縦方向に沿う両側部が、前記吸収性物品に固定されている、前記＜１＞〜＜９＞の何れか１に記載の吸収性物品。
＜１１＞
前記吸収性コアは、前記縦方向の両端部又は前記縦方向に沿う両側部には、前記吸水性ポリマーの粒子が固定されていない、前記＜１＞〜＜１０＞の何れか１に記載の吸収性物品。
＜１２＞
前記吸収性コアは、前記長尺状基体部が親水性である、前記＜１＞〜＜１１＞の何れか１に記載の吸収性物品。
＜１３＞
前記吸収性コアは、前記長尺状基体部の一方の面の表面に固定された前記吸水性ポリマーの種類と、該長尺状基体部の他方の面の表面に固定された該吸水性ポリマーの種類とが異なる、前記＜１＞〜＜１２＞の何れか１に記載の吸収性物品。
＜１４＞
前記サイド領域は、複数本の前記吸収性ユニットが互いに交差しないように、各前記吸収性ユニットが物品横方向Ｘに平行に配されている、前記＜１＞〜＜１３＞の何れか１に記載の吸収性物品。
＜１５＞
前記サイド領域は、均一な幅の前記長尺状基体部を有する前記吸収性ユニットを複数本用い、該吸収性ユニットの縦方向（ｙ１方向）を前記シート状物の物品横方向に向くように前記シート状物の物品横方向に平行に配し、且つ物品縦方向に並置して形成されている、前記＜１＞〜＜１４＞の何れか１に記載の吸収性物品。
＜１６＞
前記サイド領域は、前記長尺状基体部の横方向（ｘ１方向）において隣り合う前記吸収性ユニット間においては、介在物が非存在状態となっている、前記＜１＞〜＜１５＞の何れか１に記載の吸収性物品。
＜１７＞
前記中央領域は、前記吸収性ユニットの縦方向（ｙ１方向）が前記シート状物の物品縦方向を向くように前記吸収性ユニットを複数本配列させて形成されており、更に好適には、複数本の前記吸収性ユニットが互いに交差しないように、各前記吸収性ユニットが物品縦方向Ｙに平行に配されている、前記＜１＞〜＜１６＞の何れか１に記載の吸収性物品。
＜１８＞
前記中央領域では、前記長尺状基体部の横方向（ｘ１方向）において隣り合う前記吸収性ユニット間においては、介在物が非存在状態となっている、前記＜１＞〜＜１７＞の何れか１に記載の吸収性物品。
＜１９＞
前記シート状物は、使用前の状態において、一方向を向くように前記吸収性ユニットを複数本配列した吸収領域を有し、
前記シート状物全体に対する前記吸収領域の割合は、２０％以上であることが好ましく、５０％以上であることが更に好ましく、そして、１００％以下であることが好ましく、９０％以下であることが更に好ましい、前記＜１＞〜＜１８＞の何れか１に記載の吸収性物品。
＜２０＞
前記サイド領域において、前記吸収性ユニットの縦方向（ｙ１方向）を物品横方向Ｘに向くように配する場合、該吸収性ユニットは、各前記サイド領域に、１０本以上配されていることが好ましく、５０本以上配されていることが更に好ましく、そして、３５００本以下配されていることが好ましく、１７００本以下配されていることが更に好ましい、前記＜１＞〜＜１９＞の何れか１に記載の吸収性物品。
＜２１＞
前記中央領域において、前記吸収性ユニットの縦方向（ｙ１方向）を物品縦方向Ｙに向くように配する場合、該吸収性ユニットは、前記中央領域に、２本以上配されていることが好ましく、１０本以上配されていることが更に好ましく、１０００本以下配されていることが好ましく、５００本以下配されていることが更に好ましい、前記＜１＞〜＜２０＞の何れか１に記載の吸収性物品。
＜２２＞
各前記サイド領域に配された１本の前記長尺状基体部の幅（横方向（ｘ１方向）の長さ）が、前記中央領域に配された１本の前記長尺状基体部の幅（横方向（ｘ１方向）の長さ）よりも短い、前記＜１＞〜＜２１＞の何れか１に記載の吸収性物品。
＜２３＞
前記シート状物の前記中央領域において、該シート状物の幅に対する１本の前記長尺状基体部の幅（横方向（ｘ１方向）の長さ）の割合は、０．１％以上であることが好ましく、０．２％以上であることが更に好ましく、そして、２０％以下であることが好ましく、４％以下であることが更に好ましい、前記＜１＞〜＜２２＞の何れか１に記載の吸収性物品。
＜２４＞
前記中央領域における前記長尺状基体部の幅は、０．３ｍｍ以上であることが好ましく、０．６ｍｍ以上であることが更に好ましく、そして、１０ｍｍ以下であることが好ましく、２ｍｍ以下であることが更に好ましい、前記＜１＞〜＜２３＞の何れか１に記載の吸収性物品。
＜２５＞
前記シート状物の前記中央領域において、該シート状物１の長さに対する１本の前記長尺状基体部２の長さ（縦方向（ｙ１方向）の長さ）の割合は、２％以上であることが好ましく、２０％以上であることが更に好ましく、そして、１００％以下であることが好ましく、９８％以下であることが更に好ましい、前記＜１＞〜＜２４＞の何れか１に記載の吸収性物品。
＜２６＞
前記中央領域における前記長尺状基体部の長さは、２０ｍｍ以上であることが好ましく、２００ｍｍ以上であることが更に好ましく、そして、１０００ｍｍ以下であることが好ましく、９８０ｍｍ以下であることが更に好ましい、前記＜１＞〜＜２５＞の何れか１に記載の吸収性物品。
＜２７＞
前記サイド領域において、前記シート状物の幅に対する１本の該長尺状基体部の長さ（縦方向（ｙ１方向）の長さ））の割合は、１．５％以上であることが好ましく、３％以上であることが更に好ましく、そして、４７％以下であることが好ましく、４０％以下であることが更に好ましい、前記＜１＞〜＜２６＞の何れか１に記載の吸収性物品。
＜２８＞
各前記サイド領域における前記長尺状基体部の長さは、５ｍｍ以上であることが好ましく、１０ｍｍ以上であることが更に好ましく、そして、１４０ｍｍ以下であることが好ましく、１２０ｍｍ以下であることが更に好ましい、前記＜１＞〜＜２７＞の何れか１に記載の吸収性物品。
＜２９＞
前記シート状物の各前記サイド領域において、シート状物の長さに対する１本の前記長尺状基体部の（横方向（ｘ１方向）の長さ）の割合は、０．０３％以上であることが好ましく、０．０６％以上であることが更に好ましく、そして、１０％以下であることが好ましく、２％以下であることが更に好ましい、前記＜１＞〜＜２８＞の何れか１に記載の吸収性物品。
＜３０＞
各前記サイド領域における前記長尺状基体部の幅は、０．３ｍｍ以上であることが好ましく、０．６ｍｍ以上であることが更に好ましく、そして、１０ｍｍ以下であることが好ましく、２ｍｍ以下であることが更に好ましい、前記＜１＞〜＜２９＞の何れか１に記載の吸収性物品。
＜３１＞
前記長尺状基体部の一方の面の表面に固定させる吸水性ポリマーの坪量は、１０ｇ／ｍ２以上２５０ｇ／ｍ２以下であることが好ましく、該長尺状基体部の他方の面の表面に固定させる吸水性ポリマー３の坪量は、３０ｇ／ｍ２以上４００ｇ／ｍ２以下であることが好ましい、前記＜１＞〜＜３０＞の何れか１に記載の吸収性物品。
＜３２＞
前記長尺状基体部の一方の面の表面に固定された吸水性ポリマーに関し、２．０ｋＰａでの加圧下通液速度は、２０ｍｌ／ｍｉｎ以上であることが好ましく、４０ｍｌ／ｍｉｎ以上であることが更に好ましく、そして、１０００ｍｌ／ｍｉｎ以下であることが好ましく、８００ｍｌ／ｍｉｎ以下であることが更に好ましい、前記＜１＞〜＜３１＞の何れか１に記載の吸収性物品。
＜３３＞
前記長尺状基体部の他方の面の表面に固定された吸水性ポリマーの粒子に関し、２．０ｋＰａでの加圧下通液速度は、０ｍｌ／ｍｉｎ以上であることが好ましく、１０ｍｌ／ｍｉｎ以上であることが更に好ましく、そして、４００ｍｌ／ｍｉｎ以下であることが好ましく、２００ｍｌ／ｍｉｎ以下であることが更に好ましい、前記＜１＞〜＜３２＞の何れか１に記載の吸収性物品。
＜３４＞
前記長尺状基体部の一方の面の表面に固定された吸水性ポリマーに関し、その遠心保持量（吸水量）は、２０ｇ／ｇ以上であることが好ましく、２５ｇ／ｇ以上であることが更に好ましく、そして、５０ｇ／ｇ以下であることが好ましく、４５ｇ／ｇ以下であることが更に好ましい、前記＜１＞〜＜３３＞の何れか１に記載の吸収性物品。
＜３５＞
前記長尺状基体部の他方の面の表面に固定された吸水性ポリマーに関し、その遠心保持量（吸水量）は、２５ｇ／ｇ以上であることが好ましく、３０ｇ／ｇ以上であることが更に好ましく、そして、６５ｇ／ｇ以下であることが好ましく、５５ｇ／ｇ以下であることが更に好ましい、前記＜１＞〜＜３４＞の何れか１に記載の吸収性物品。
＜３６＞
各前記長尺状基体部の両面（上面及び下面）の表面において、前記吸収性コアである前記シート状物の前記中央領域に配された前記吸収性ユニットの吸水性ポリマーの坪量の方が、前記吸収性コアである前記シート状物の各前記サイド領域に配された前記吸収性ユニットの吸水性ポリマーの坪量よりも大きい、前記＜１＞〜＜３５＞の何れか１に記載の吸収性物品。
＜３７＞
前記中央領域に配された前記吸収性ユニットの吸水性ポリマーの坪量は、片面あたり、３０ｇ／ｍ２以上４００ｇ／ｍ２以下であることが好ましく、５０ｇ／ｍ２以上３００ｇ／ｍ２以下であることが更に好ましい、前記＜１＞〜＜３６＞の何れか１に記載の吸収性物品。
＜３８＞
各前記サイド領域に配された前記吸収性ユニットの吸水性ポリマーの坪量は、片面あたり、１０ｇ／ｍ２以上２５０ｇ／ｍ２以下であることが好ましく、３０ｇ／ｍ２以上１５０ｇ／ｍ２以下であることが更に好ましい、前記＜１＞〜＜３７＞の何れか１に記載の吸収性物品。
＜３９＞
前記長尺状基体部の縦方向（ｙ１方向）に沿う両側縁部間の距離が、使用前（膨潤前）の状態の吸水性ポリマーの粒子の平均粒子径よりも大きく、膨潤後の状態の吸水性ポリマーの粒子の平均粒子径よりも小さいことが好ましい、前記＜１＞〜＜３８＞の何れか１に記載の吸収性物品。
＜４０＞
使用前（膨潤前）の状態の吸水性ポリマーの粒子の平均粒子径は、２０μｍ以上であることが好ましく、２００μｍ以上であることが更に好ましく、そして、７００μｍ以下であることが好ましく、５００μｍ以下であることが更に好ましい、前記＜１＞〜＜３９＞の何れか１に記載の吸収性物品。
＜４１＞
膨潤後の状態の吸水性ポリマーの平均粒子径は、２００μｍ以上であることが好ましく、８００μｍ以上であることが更に好ましく、そして、３０００μｍ以下であることが好ましく、２０００μｍ以下であることが更に好ましい、前記＜１＞〜＜４０＞の何れか１に記載の吸収性物品。
【符号の説明】
【０１０２】
１０  パンツ型使い捨ておむつ（吸収性物品）
２０  吸収性本体
２１  表面シート
２１Ｅ  延出部位
２１Ｅ１  先端部
２２  裏面シート
２３  吸収体
２４  吸収性コア
１  シート状物
２  長尺状基体部
２ｓ  側縁部
２ｂ  基材シート
３  吸水性ポリマー（吸水性ポリマーの粒子）
４  吸収性ユニット
５  接着剤
２５  コアラップシート
２６  防漏カフ
２７  防漏カフを形成するシート材料
２８  接合部
２９ａ，２９ｂ，２９ｃ  弾性部材
３０  外装体
３１  内層シート
３２  外層シート
３３  弾性部材
１００  製造装置
１１０  基材シートカット部
１１１ａ  カッター刃
１１１ｂ  ロータリーダイ
１１２  受けロール
１１３  カット装置
１１５ａ  カッター刃
１１５ｂ  ロータリーダイ
１１６  受けロール
１１７  カット装置
１２０  接着剤塗布部
１２１  塗布ヘッド
１３０  吸水性ポリマー散布部
１３１  吸水性ポリマー導入部
１４１  バキュームコンベア
１４５  バキュームボックス
１５１，１５２  駆動ロール
【図１】
0006602660.tif 000002
【図２】
0006602660.tif 000003
【図３】
0006602660.tif 000004
【図４】
0006602660.tif 000005
【図５】
0006602660.tif 000006
【図６】
0006602660.tif 000007
【図７】
0006602660.tif 000008
【図８】
0006602660.tif 000009
【図９】
0006602660.tif 000010
【図１０】
0006602660.tif 000011